(57)【要約】【課題】電圧を印加する２つの電源のいずれか一方を複数の部材で共有化しつつ、両方の電圧が重畳して印加される部材側を流れる電流の変化に伴う片方の電圧が印加される部材に対する悪影響を低減すること。【解決手段】第１の電源（１）から帯電部材（ＣＲ）に供給される第１の電流（Ｉ12）の電流値と第１の電源（１）から第１の電圧検知部（１５２）に流れる第３の電流（Ｉ14）の電流値との合計値に対して、第２の電源（５１）から最終転写部材（Ｒｔ）に供給される第２の電流（Ｉ68）の電流値と、第２の電源（５１）から重畳電圧の検知部（１５１）に流れる第４の電流の電流値（Ｉ67）と、の合計値を小さくする画像形成装置（Ｕ）。【選択図】図４
2013195820.tif 000002
【特許請求の範囲】
【請求項１】
像保持体と、
前記像保持体に対向して配置され、前記像保持体表面を帯電させる帯電部材と、
帯電された前記像保持体の表面に潜像を形成する潜像形成装置と、
前記像保持体の表面の潜像を可視像に現像する現像装置と、
前記像保持体の表面の可視像を媒体に転写する最終転写部材と、
前記帯電部材に接続されて前記帯電部材に第１の電圧を印加する第１の電源と、前記第１の電源に直列に接続され且つ前記最終転写部材に直列に接続されて前記第１の電圧とは逆極性の第２の電圧を出力する第２の電源と、前記帯電部材に並列に接続されて前記第１の電圧を検知する第１の電圧検知部と、前記最終転写部材に並列に接続されて前記第１の電圧と前記第２の電圧との重畳電圧を検知する重畳電圧の検知部と、を有し、前記最終転写部材に対して、前記第１の電圧とは逆極性の前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記帯電部材に供給される第１の電流の電流値と、前記第１の電源から前記第１の電圧検知部に流れる第３の電流の電流値と、の合計値に対して、前記第２の電源から前記最終転写部材に供給される第２の電流の電流値と、前記第２の電源から前記重畳電圧の検知部に流れる第４の電流の電流値と、の合計値を小さくする
ことを特徴とする画像形成装置。
【請求項２】
前記第２の電源と前記最終転写部材との間に配置され、前記第２の電源に直列に接続された検知抵抗と、
前記検知抵抗に並列に接続され、前記検知抵抗の前記第２の電源側と前記最終転写部材側との間の電位差である検知電圧を測定する検知電圧の測定手段と、
前記検知電圧の測定手段によって測定された前記検知電圧の電圧値と、予め設定された前記検知抵抗の抵抗値とに基づいて、前記検知抵抗に流れる電流であって、電流値が前記第２の電流の電流値と前記第４の電流の電流値との合計値となる電流である検知電流を測定する検知電流の測定手段と、
前記検知電流の測定手段によって測定された前記検知電流に基づいて、前記第２の電源を制御する第２の電源出力調整手段と、
を備えたことを特徴とする請求項１に記載の画像形成装置。
【請求項３】
予め設定された前記重畳電圧の電圧値と、予め設定された前記重畳電圧の検知部の抵抗値とに基づいて、前記第４の電流を測定する第４の電流の測定手段と、
前記検知電流の測定手段によって測定された前記検知電流と、前記第４の電流の測定手段によって測定された前記第４の電流とに基づいて、前記第２の電流を測定する第２の電流の測定手段と、
前記第２の電流の測定手段によって測定された前記第２の電流に基づいて、前記第２の電源を制御する前記第２の電源出力調整手段と、
を備えたことを特徴とする請求項２に記載の画像形成装置。
【請求項４】
像保持体と、
前記像保持体に対向して配置され、前記像保持体表面を帯電させる帯電部材と、
帯電された前記像保持体の表面に潜像を形成する潜像形成装置と、
前記像保持体に対向して配置されて現像剤を保持して回転する現像部材を有し、前記像保持体の表面の潜像を可視像に現像する現像装置と、
前記像保持体の表面の可視像を媒体に転写する最終転写部材と、
前記現像部材に接続されて前記現像部材に第１の電圧を印加する第１の電源と、前記第１の電源に直列に接続され且つ前記最終転写部材に直列に接続されて前記第１の電圧とは逆極性の第２の電圧を出力する第２の電源と、前記帯電部材に並列に接続されて前記第１の電圧を検知する第１の電圧検知部と、前記最終転写部材に並列に接続されて前記第１の電圧と前記第２の電圧との重畳電圧を検知する重畳電圧の検知部と、を有し、前記最終転写部材に対して、前記第１の電圧とは逆極性の前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記現像部材に供給される第１の電流の電流値と、前記第１の電源から前記第１の電圧検知部に流れる第３の電流の電流値と、の合計値に対して、前記第２の電源から前記最終転写部材に供給される第２の電流の電流値と、前記第２の電源から前記重畳電圧の検知部に流れる第４の電流の電流値と、の合計値を小さくする
ことを特徴とする画像形成装置。
【請求項５】
第１の部材に接続されて前記第１の部材に第１の電圧を印加する第１の電源と、前記第１の電源に直列に接続され且つ第２の部材に直列に接続されて前記第１の電圧とは異なる第２の電圧を出力する第２の電源と、前記第１の部材に並列に接続されて前記第１の電圧を検知する第１の電圧検知部と、前記第２の部材に並列に接続されて前記第１の電圧と前記第２の電圧との重畳電圧を検知する重畳電圧の検知部と、を有し、前記第２の部材に対して、前記第１の電圧とは異なる前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記第１の部材に供給される第１の電流の電流値と、前記第１の電源から前記第１の電圧検知部に流れる第３の電流の電流値と、の合計値に対して、前記第２の電源から前記第２の部材に供給される第２の電流の電流値と、前記第２の電源から前記重畳電圧の検知部に流れる第４の電流の電流値と、の合計値を小さくする
ことを特徴とする画像形成装置。
【発明の詳細な説明】
【技術分野】
【０００１】
本発明は、画像形成装置に関する。
【背景技術】
【０００２】
電子写真方式の画像形成装置において、現像装置や帯電装置、転写装置等の部材に電圧を印加する構成に関し、下記の特許文献１〜４に記載の技術が知られている。
【０００３】
特許文献１としての特開２００７−２０６４１４号公報には、画像形成処理の直前や直後に転写ロール（５）のクリーニング処理を実行する画像形成装置において、クリーニング時に帯電バイアス駆動回路（４０４）をオンにして、負の直流高電圧（−１［ｋＶ］）を帯電直流電圧として帯電ローラ（２）に供給すると共に、前記負の直流高電圧（−１［ｋＶ］）を転写クリーニング電圧として転写ローラ（５）に供給することにより、帯電バイアス駆動回路（４０４）と転写クリーニング電源駆動回路とを共通化して装置全体を小型化およびコスト低減する技術が記載されている。
【０００４】
また、特許文献１では、クリーニング処理後の画像形成時に帯電バイアス駆動回路（４０４）がオンの状態のまま転写電源駆動回路（４０２）をオンにして、負の直流高電圧（−１［ｋＶ］）に正の直流高電圧（＋３［ｋＶ］）を重畳した電圧（−１＋３＝＋２［ｋＶ］）を転写電圧として転写ローラ（５）に供給することにより、転写ローラ（５）に対する前記負の直流高電圧（−１［ｋＶ］）の供給のオンオフを制御するための高電圧トランジスタ等を省略してコストを低減する技術が記載されている。
すなわち、特許文献１には、供給される電流の値が測定されていない転写ローラ（５）に対して、正負の電圧を重畳した転写電圧を印加する技術が記載されている。
【０００５】
特許文献２としての特開２０１０−２５００９６号公報には、帯電バイアス駆動回路（２０３）と転写電源駆動回路（２０２）とを有する転写重畳回路（４０３）に関する技術が記載されている。特許文献２には、画像形成動作時に、帯電バイアス駆動回路（２０３）から負の直流高電圧である帯電電圧を帯電ローラ（２２５）に印加すると共に、帯電バイアス駆動回路（２０３）からの負の直流高電圧と転写電源駆動回路（２０２）からの正の直流高電圧とを重畳した転写電圧を転写ローラ（２０６）に印加し、且つ、クリーニング時に、帯電バイアス駆動回路（２０３）から負の直流高電圧をクリーニング電圧として転写ローラ（２０６）に印加する技術が記載されている。また、特許文献２には、転写重畳回路（４０３）と転写ローラ（２０６）との間に、転写ローラ（２０６）に流れる電流を検知する電流検知回路（２０５）が配置され、検知された電流が一定となるように定電流制御されている。
すなわち、特許文献２には、正負の電圧を重畳した転写電圧を転写ローラ（２０６）に印加する構成において、具体的な構成が不明であるが、転写ローラ（２０６）に流れる電流の電流値を検出する技術が記載されている。
【０００６】
特許文献３としての特開２００３−２０９９７２号公報には、プラスマイナスの各電源回路（３〜１２，１３〜２２）と、転写ローラ等の負荷（３１）と、負荷（３１）に流れた負荷電流（Ｉ）を検出する電流検出回路（２＋２６〜３０）とが直列に接続され、負荷（３１）に対して、プラスの電源回路（３〜１２）から出力されるプラスバイアスと、マイナスの電源回路（１３〜２２）から出力されるマイナスバイアスとが別々に印加される技術が記載されている。また、特許文献３では、直列に接続された２つの電圧検出抵抗（２３，２４）が、負荷（３１）および電流検出回路に対して並列に接続され、電圧検出抵抗（２３，２４）間の電圧が各電源回路（３〜１２，１３〜２２）の定電圧制御回路（８，１８）にフィードバックされており、前記電圧に基づいて、負荷（３１）に印加するバイアス値が一定となるように定電圧制御されている。
すなわち、特許文献３には、正電圧または負電圧のいずれか一方を転写ローラ等に印加する構成において、負荷（３１）に流れた電流の電流値や転写ローラ等の負荷（３１）に印加された電圧の電圧値を検知する技術が記載されている。
【０００７】
特許文献４としての特開２００７−３４０９２号公報には、画像形成動作時に、転写ローラ（１５８）に対して負極性の転写電圧を印加する転写電源部（１６２）と、感光体ドラム（１５１）に静電吸着した用紙（Ｐ）を分離する分離電極（１６１）に対して正極性の分離電圧を印加する分離電源部（１６１）とを有する高圧電源装置（１６）において、転写クリーニング時に、分離電源部（１６１）から正極性の転写逆バイアス電圧を転写ローラ（１５８）に印加することにより、分離電源部（１６１）と転写クリーニング電源部とを共通化してコスト低減する技術が記載されている。
【０００８】
また、特許文献４では、画像形成動作時に、転写電圧に応じたフィードバック電圧（Ｖ４）が転写電源部（１６２）にフィードバックされ、前記フィードバック電圧（Ｖ４）に応じて転写電圧が変化されることにより、転写ローラ（１５８）や、用紙（Ｐ）、感光体ドラム（１５１）、レジストローラ（１４２ａ）を含み、且つ、用紙（Ｐ）の大きさおよび厚さや、温湿度等によって変化する負荷（１５９）に流れる電流値が一定となるように定電流制御されている。
すなわち、特許文献４には、正電圧または負電圧のいずれか一方を転写ローラ（１５８）に印加する構成において、転写ローラ（１５８）側の負荷（１５９）に印加された転写電圧に基づく電圧（Ｖ４）を検知する技術が記載されている。
【先行技術文献】
【特許文献】
【０００９】
【特許文献１】特開２００７−２０６４１４号公報（要約書、「００３０」〜「００３４」、図３〜図５）
【特許文献２】特開２０１０−２５００９６号公報（「００２８」〜「００３１」、「００３４」〜「００３８」、図２〜図４）
【特許文献３】特開２００３−２０９９７２号公報（「０００８」〜「００１７」、「００４７」〜「００５４」、図１〜図３、図１０）
【特許文献４】特開２００７−３４０９２号公報（要約書、「００２７」〜「００３０」、「００５５」〜「００５７」、図３、図４、図６）
【発明の概要】
【発明が解決しようとする課題】
【００１０】
本発明は、電圧を印加する２つの電源のいずれか一方を複数の部材で共有化しつつ、両方の電圧が重畳して印加される部材側を流れる電流の変化に伴う片方の電圧が印加される部材に対する悪影響を低減することを技術的課題とする。
【課題を解決するための手段】
【００１１】
前記技術的課題を解決するために、請求項１に記載の発明の画像形成装置は、
像保持体と、
前記像保持体に対向して配置され、前記像保持体表面を帯電させる帯電部材と、
帯電された前記像保持体の表面に潜像を形成する潜像形成装置と、
前記像保持体の表面の潜像を可視像に現像する現像装置と、
前記像保持体の表面の可視像を媒体に転写する最終転写部材と、
前記帯電部材に接続されて前記帯電部材に第１の電圧を印加する第１の電源と、前記第１の電源に直列に接続され且つ前記最終転写部材に直列に接続されて前記第１の電圧とは逆極性の第２の電圧を出力する第２の電源と、前記帯電部材に並列に接続されて前記第１の電圧を検知する第１の電圧検知部と、前記最終転写部材に並列に接続されて前記第１の電圧と前記第２の電圧との重畳電圧を検知する重畳電圧の検知部と、有し、前記最終転写部材に対して、前記第１の電圧とは逆極性の前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記帯電部材に供給される第１の電流の電流値と、前記第１の電源から前記第１の電圧検知部に流れる第３の電流の電流値と、の合計値に対して、前記第２の電流の電流値と、前記第２の電源から前記最終転写部材に供給される第２の電源から前記重畳電圧の検知部に流れる第４の電流の電流値と、の合計値を小さくする
ことを特徴とする。
【００１２】
請求項２に記載の発明は、請求項１に記載の画像形成装置において、
前記第２の電源と前記最終転写部材との間に配置され、前記第２の電源に直列に接続された検知抵抗と、
前記検知抵抗に並列に接続され、前記検知抵抗の前記第２の電源側と前記最終転写部材側との間の電位差である検知電圧を測定する検知電圧の測定手段と、
前記検知電圧の測定手段によって測定された前記検知電圧の電圧値と、予め設定された前記検知抵抗の抵抗値とに基づいて、前記検知抵抗に流れる電流であって、電流値が前記第２の電流の電流値と前記第４の電流の電流値との合計値となる電流である検知電流を測定する検知電流の測定手段と、
前記検知電流の測定手段によって測定された前記検知電流に基づいて、前記第２の電源を制御する第２の電源出力調整手段と、
を備えたことを特徴とする。
【００１３】
請求項３に記載の発明は、請求項２に記載の画像形成装置において、
予め設定された前記重畳電圧の電圧値と、予め設定された前記重畳電圧の検知部の抵抗値とに基づいて、前記第４の電流を測定する第４の電流の測定手段と、
前記検知電流の測定手段によって測定された前記検知電流と、前記第４の電流の測定手段によって測定された前記第４の電流とに基づいて、前記第２の電流を測定する第２の電流の測定手段と、
前記第２の電流の測定手段によって測定された前記第２の電流に基づいて、前記第２の電源を制御する第２の電源出力調整手段と、
を備えたことを特徴とする。
【００１４】
前記技術的課題を解決するために、請求項４に記載の発明の画像形成装置は、
像保持体と、
前記像保持体に対向して配置され、前記像保持体表面を帯電させる帯電部材と、
帯電された前記像保持体の表面に潜像を形成する潜像形成装置と、
前記像保持体に対向して配置されて現像剤を保持して回転する現像部材を有し、前記像保持体の表面の潜像を可視像に現像する現像装置と、
前記像保持体の表面の可視像を媒体に転写する最終転写部材と、
前記現像部材に接続されて前記現像部材に第１の電圧を印加する第１の電源と、前記第１の電源に直列に接続され且つ前記最終転写部材に直列に接続されて前記第１の電圧とは逆極性の第２の電圧を出力する第２の電源と、前記帯電部材に並列に接続されて前記第１の電圧を検知する第１の電圧検知部と、前記最終転写部材に並列に接続されて前記第１の電圧と前記第２の電圧との重畳電圧を検知する重畳電圧の検知部と、を有し、前記最終転写部材に対して、前記第１の電圧とは逆極性の前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記現像部材に供給される第１の電流の電流値と、前記第１の電源から前記第１の電圧検知部に流れる第３の電流の電流値と、の合計値に対して、前記第２の電源から前記最終転写部材に供給される第２の電流の電流値と、前記第２の電源から前記重畳電圧の検知部に流れる第４の電流の電流値と、の合計値を小さくする
ことを特徴とする。
【００１５】
前記技術的課題を解決するために、請求項５に記載の発明の画像形成装置は、
第１の部材に接続されて前記第１の部材に第１の電圧を印加する第１の電源と、前記第１の電源に直列に接続され且つ第２の部材に直列に接続されて前記第１の電圧とは異なる第２の電圧を出力する第２の電源と、前記第１の部材に並列に接続されて前記第１の電圧を検知する第１の電圧検知部と、前記第２の部材に並列に接続されて前記第１の電圧と前記第２の電圧との重畳電圧を検知する重畳電圧の検知部と、を有し、前記第２の部材に対して、前記第１の電圧とは異なる前記重畳電圧を印加する電源回路と、
前記第１の電圧検知部によって検知された前記第１の電圧に基づいて、前記第１の電源を制御して、前記第１の電圧を調整する第１の電圧調整手段と、
前記重畳電圧の検知部によって検知された前記重畳電圧に基づいて、前記第２の電源を制御して、前記第２の電圧を調整する第２の電圧調整手段と、
を備え、
前記第１の電源から前記第１の部材に供給される第１の電流の電流値と、前記第１の電源から前記第１の電圧検知部に流れる第３の電流の電流値と、の合計値に対して、前記第２の電源から前記第２の部材に供給される第２の電流の電流値と、前記第２の電源から前記重畳電圧の検知部に流れる第４の電流の電流値と、の合計値を小さくする
ことを特徴とする。
【発明の効果】
【００１６】
請求項１、４、５に記載の発明によれば、第１の電源を各部材で共有化しつつ、第１の電流の電流値と第３の電流の電流値との合計値に対して第２の電流の電流値と第４の電流の電流値との合計値を小さくする構成を有しない場合に比べて、両方の電圧が重畳して印加される部材側を流れる電流の変化に伴う片方の電圧が印加される部材に対する悪影響を低減することができる。
請求項２に記載の発明によれば、検知抵抗に流れる検知電流を測定し、測定された検知電流の変化に応じて第２の電源出力を調整できる。
請求項３に記載の発明によれば、検知抵抗に流れる検知電流と第４の電流とに基づいて第２の電流を測定し、測定された第２の電流の変化に応じて第２の電源出力を調整できる。
【図面の簡単な説明】
【００１７】
【図１】図１は実施例１の画像形成装置の斜視図である。
【図２】図２は実施例１の画像形成装置の全体説明図である。
【図３】図３は図２のトナー像形成装置部分の要部拡大図である。
【図４】図４は実施例１の電源回路の要部説明図である。
【図５】図５は実施例１のプリンタの制御部分が備えている各機能を機能ブロック図で示した図である。
【図６】図６は実施例１の転写用の電流調整処理のフローチャートである。
【図７】図７は実施例１の転写用の電流測定処理のフローチャートであり、図６のＳＴ２のサブルーチンの説明図である。
【図８】図８は実施例１の作用説明図であり、帯電用の電源回路および転写用の電源回路の等価回路の説明図である。
【図９】図９は図８の等価回路を流れる各電流の閉回路の説明図であり、図９Ａは第６の閉回路の等価回路の説明図、図９Ｂは第７の閉回路の等価回路の説明図、図９Ｃは第８の閉回路の等価回路の説明図である。
【図１０】図１０は図９の続きの説明図であり、図１０Ａは帯電用の回路の等価回路の説明図、図１０Ｂは清掃用の回路の等価回路の説明図、図１０Ｃは第１内部回路の等価回路の説明図、図１０Ｄは第４の閉回路の等価回路の説明図、図１０Ｅは第５の閉回路の説明図である。
【図１１】図１１は図１０の続きの説明図であり、図１１Ａは転写用の回路の等価回路の説明図、図１１Ｂは第２内部回路の等価回路の説明図、図１１Ｃは第３内部回路の等価回路の説明図である。
【図１２】図１２は実施例１の図４に対応する説明図であって実施例２の電源回路の要部説明図である。
【図１３】図１３は実施例１の図５に対応する説明図であって実施例２のプリンタの制御部分が備えている各機能を機能ブロック図で示した図である。
【図１４】図１４は実施例１の図９に対応する説明図であって実施例２の閉回路の説明図であり、図１４Ａは第６の閉回路の等価回路の説明図、図１４Ｂは第８の閉回路の等価回路の説明図、図１４Ｃは帯電用の回路の等価回路の説明図、図１４Ｄは清掃用の回路の等価回路の説明図、図１４Ｅは第１内部回路の等価回路の説明図、図１４Ｆは第５の閉回路の等価回路の説明図である。
【発明を実施するための形態】
【００１８】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１９】
図１は実施例１の画像形成装置の斜視図である。
図１において、実施例１の画像形成装置の一例としてのプリンタＵは、プリンタ本体Ｕ１の上面に第１の媒体排出部の一例としての第１排紙トレイＴＲｈ、いわゆるフェイスダウントレＴＲｈが設けられている。前記第１排出トレイＴＲｈの媒体排出方向先端側の上面前部には、利用者が入力操作する操作部ＵＩが設けられており、前記操作部ＵＩには表示部等が設けられている。プリンタＵの上部前面には、前開閉部の一例としてのフロントパネルＵａが配置されており、フロントパネルＵａ下端部が左右方向に延びる回転軸により、プリンタ本体Ｕ１に回転可能に支持されている。したがって、現像剤容器の一例としてのトナーカートリッジや、可視像形成ユニットの一例としてのプロセスユニット等を交換する場合、フロントパネルＵａを開けて交換できる。
【００２０】
図２は実施例１の画像形成装置の全体説明図である。
図２において、プリンタＵには、画像情報送信装置の一例としてホストコンピュータＨＣが電気的に接続されており、ホストコンピュータＨＣから送信された画像情報や制御信号等の電気信号は、プリンタＵの制御部の一例としてのコントローラＣに入力される。前記コントローラＣは、入力される画像情報を一時的に記憶し、前記画像情報を予め設定された時期に潜像形成用の情報に変換して、潜像形成回路の一例としてのレーザ駆動回路ＤＬに出力する。
レーザ駆動回路ＤＬは、入力された情報に応じて駆動信号を潜像形成装置ＲＯＳに出力する。なお、前記操作部ＵＩ、レーザ駆動回路ＤＬと、後述の現像ロールＧａ、転写ロールＲｔに電圧を印加する電源回路Ｅ等の動作はコントローラＣにより制御される。
【００２１】
図３は図２のトナー像形成装置部分の要部拡大図である。
図２、図３において、前記潜像形成装置ＲＯＳの左方には、黒色のトナー像を形成する可視像形成装置の一例としてのトナー像形成装置Ｕ２が配置されている。潜像形成装置ＲＯＳから出射された潜像形成光の一例としてのレーザビームＬは、回転する感光体ＰＲに入射される。
図２、図３において、実施例１のトナー像形成装置Ｕ２は、回転軸ＰＲａを中心に矢印方向に回転する像保持体の一例としての感光体ＰＲと、第１の部材の一例であって、帯電部材の一例としての帯電ロールＣＲと、現像装置Ｇと、像保持体用の清掃器の一例としての感光体クリーナＣＬとを有している。また、前記トナー像形成装置Ｕ２はユニット化されており、プロセスユニットとしてプリンタ本体Ｕ１に着脱可能に構成されている。前記プロセスユニットＵ２の着脱は、プリンタ本体Ｕ１の前面に開閉可能に支持されたフロントカバーＵａを開放した状態で行われる。
【００２２】
図２、図３において、前記感光体ＰＲの表面は、帯電電圧が印加される帯電ロールＣＲにより帯電された後、潜像書込位置Ｑ１において潜像形成装置ＲＯＳのレーザビームＬにより露光走査されて静電潜像が形成される。前記静電潜像が形成された感光体ＰＲ表面は回転移動して現像領域Ｑ２、転写領域Ｑ３を順次通過する。
現像装置Ｇは、内部に現像剤の一例としてのトナーを収容する現像容器Ｖを有する。前記現像容器Ｖ内には、現像領域Ｑ２で感光体ＰＲと対向し且つ現像電圧が印加される現像剤保持体の一例であって、現像部材の一例としての現像ロールＧａが回転可能に支持されている。また、現像容器Ｖ内には、トナーを現像ロールＧａに撹拌しながら搬送するトナー撹拌部材Ｇｂ，Ｇｃが回転可能に支持されている。したがって、現像ロールＧａの回転に伴って表面に保持されたトナーが現像領域Ｑ２に搬送され、現像領域Ｑ２を通過する感光体ＰＲ上の静電潜像が可視像の一例としてのトナー像に現像される。
【００２３】
前記現像容器Ｖの前端部には、プリンタＵに固定支持された現像剤補給装置の一例としてのカートリッジトナー補給装置ＴＨ１の補給路の一端が接続されている。前記カートリッジトナー補給装置ＴＨ１の補給路の他端は、現像剤収容容器の一例としてのトナーカートリッジＴＣの排出口ＴＣ３に接続されている。
図２において、トナーカートリッジＴＣは、内部にトナーを収容する容器本体の一例としてのカートリッジ本体ＴＣ１を有し、前記カートリッジ本体ＴＣ１内には容器内搬送部材の一例としてのトナー搬送部材ＴＣ２が回転可能に支持されている。したがって、現像装置Ｇでのトナーの消費に応じて、前記トナー搬送部材ＴＣ２が回転駆動してカートリッジ本体ＴＣ１内のトナーを、排出口ＴＣ３に搬送する。排出口ＴＣ３から排出されたトナーは、カートリッジトナー補給装置ＴＨ１の補給経路内の図示しない補給用搬送部材により現像装置Ｇの現像容器Ｖに搬送される。
【００２４】
前記トナーカートリッジＴＣは、プリンタＵに対して前後方向に挿抜することにより着脱可能に構成されている。前記トナーカートリッジＴＣの着脱は、プリンタ本体Ｕ１の前面に開閉可能に支持されたフロントカバーＵａを開放した状態で行う。
前記感光体ＰＲ、帯電ロールＣＲ、静電潜像形成装置ＲＯＳ、現像装置Ｇ等により、感光体ＰＲ上にトナー像を形成するトナー像形成装置Ｕ２が構成されている。
【００２５】
図１、図２において、プリンタＵの下部には、媒体収容部の一例としての給紙トレイＴＲ１〜ＴＲ４が複数設けられている。複数の給紙トレイＴＲ１〜ＴＲ４は、前記転写領域Ｑ３に搬送するための媒体の一例として記録用のシートＳを収容している。
図２において、プリンタＵの下部内部には、出入される給紙トレイＴＲ１〜ＴＲ４の左右両端部を移動可能に支持する容器案内部材の一例としてのレールＲＬ１，ＲＬ１が配置されている。したがって、左右一対のレールＲＬ１，ＲＬ１により各給紙トレイＴＲ１〜ＴＲ４は前後方向に移動可能に支持されており、前記各給紙トレイＴＲ１〜ＴＲ４はプリンタＵの前面から出入可能である。
【００２６】
図２において、前記各給紙トレイＴＲ１〜ＴＲ４の給紙側の上部には、給紙装置Ｋが配置されている。前記給紙装置Ｋは、媒体取出部材の一例としてのピックアップロールＲｐと、媒体搬送部材の一例としてのフィードロールおよび媒体分離部材の一例としてのリタードロールからなる捌き部材の一例としてのさばきロールＲｓとを有する。
給紙装置ＫのピックアップロールＲｐにより取出された記録用のシートＳは、さばきロールＲｓにより１枚ずつ分離されて、本体搬送路ＳＨ１に給紙される。給紙されたシートＳは、本体搬送路ＳＨ１に配置された複数の搬送部材の一例としてのシート搬送ロールＲａにより搬送される。シート搬送ロールＲａにより搬送されたシートＳは、時期調整部材の一例としてのレジロールＲｒにより、感光体ＰＲ表面のトナー像が転写領域Ｑ３に移動する時期に合わせて、前記転写領域Ｑ３に搬送される。
【００２７】
また、プリンタＵの左側部には、手差し部の一例としての手差トレイＴＲ０が装着されている。前記手差トレイＴＲ０から給紙されたシートＳは、手差用の追加搬送路ＳＨ５から、手差搬送路ＳＨ２を通過して、前記本体搬送路ＳＨ１のシート搬送ロールＲａにより搬送され、レジロールＲｒにより前記転写領域Ｑ３に搬送される。
図２において、前記転写領域Ｑ３には転写電圧が印加される第２の部材の一例であって、最終転写部材の一例としての転写ロールＲｔが配置されている。この転写ロールＲｔは転写領域Ｑ３において前記感光体ＰＲに予め設定された圧力で接触しており、転写領域Ｑ３を通過するシートＳに感光体ＰＲ上のトナー像を転写する。
【００２８】
図３において、感光体ＰＲ表面のトナー像が転写領域Ｑ３においてシートＳに転写された後、前記感光体ＰＲは、感光体クリーナＣＬの清掃部材の一例としてのクリーニングブレードＣＬ１により表面に付着した残留現像剤の一例としての残留トナーが除去、回収され、清掃される。クリーニングブレードＣＬ１で除去された残留トナーは、清掃容器の一例としてのクリーナ容器ＣＬ２に収容される。クリーナ容器ＣＬ２内の現像剤は、回収搬送部材の一例としての回収オーガＣＬ３で前方に搬送され、前端に設けられた回収路ＣＬ４を通じて、現像容器Ｖ内に戻され、再使用される。
感光体クリーナＣＬにより表面に付着した残留トナーが回収された感光体ＰＲは、前記帯電ロールＣＲにより再び帯電される。
【００２９】
前記転写領域Ｑ３において未定着のトナー像が転写されたシートＳは、トナー像が未定着の状態で定着装置Ｆの定着領域Ｑ４に搬送される。定着装置Ｆは、加熱定着部材の一例としての加熱ロールＦｈと、加圧定着部材の一例としての加圧ロールＦｐとを有し、加熱ロールＦｈと加圧ロールＦｐが接触する定着領域Ｑ４においてトナー像が加熱定着される。
前記トナー像形成装置Ｕ２と、転写ロールＲｔ、定着装置Ｆにより、シートＳに画像を記録する画像記録部材Ｕ２＋Ｒｔ＋Ｆが構成されている。
定着トナー像が形成されたシートＳは、媒体案内部材の一例としてのシートガイドに案内されて排出部材の一例としての排紙ロールＲ１に搬送される。シートＳは、前記排紙ロールＲ１により、媒体排出口の一例としてのシート排出口Ｈａから前記第１排紙トレイＴＲｈに排出される。
【００３０】
プリンタＵの内部の定着装置Ｆ上方には、前記シート排出口Ｈａに接続された本体側反転路ＳＨ３が設けられている。また、前記手差しトレイＴＲ０の上部には、追加装置である媒体反転装置の一例としてのシート反転装置Ｕ３が装着されている。前記シート反転装置Ｕ３の内部には、前記本体側反転路ＳＨ３に接続される追加反転路の一例としてのオプションシート反転路ＳＨ４が形成されている。したがって、両面印刷時には、前記定着領域Ｑ４でトナー像が定着されたシートＳは、前記本体シート反転路ＳＨ３、オプションシート反転路ＳＨ４を通過して、前記レジロールＲｒに搬送され、前記転写領域Ｑ３に再送される。
前記本体側反転路ＳＨ３、オプションシート反転路ＳＨ４により、反転路ＳＨ３＋ＳＨ４が構成されている。
【００３１】
また、前記シート反転装置Ｕ３には、シートＳの画像記録面が上面になる状態で排出される追加媒体排出部の一例としてのオプション排紙トレイＴＲｈ１、いわゆる、フェイスアップトレイＴＲｈ１が設けられている。前記オプション排紙トレイＴＲｈ１と前記本体側反転路ＳＨ３との間には、追加排出路の一例としてのオプションシート排出路ＳＨ６が設けられており、ユーザによりオプション排紙トレイＴＲｈ１に排出することが指定された場合、シートＳは、前記本体側反転路ＳＨ３から前記オプションシート排出路ＳＨ６を通過して、前記オプション排紙トレイＴＲｈ１に排出される。
【００３２】
（実施例１の電源回路Ｅの説明）
（実施例１の負電源回路１の説明）
図４は実施例１の電源回路の要部説明図である。
実施例１の前記電源回路Ｅは、現像用の電源回路Ｅａと、帯電用の電源回路Ｅｂと、転写用の電源回路Ｅｃとを有する。
図４において、帯電ロールＣＲに帯電電圧を印加する前記帯電用の電源回路Ｅｂは、第１の電源の一例としての負電源回路１によって構成されている。
実施例１の前記負電源回路１は、コントローラＣの負電源回路の作動手段Ｃ３Ｆに第１の抵抗２の一端が電気的に接続され、前記第１の抵抗２の他端は、第１の基準電位点３に接続されている。なお、実施例１の前記第１の基準電位点３は、＋３．３［Ｖ］に予め設定されている。
【００３３】
また、前記第１の抵抗２の一端は、第２の抵抗４の一端に接続され、前記第２の抵抗４の他端は、第１の蓄電素子の一例としての第１のコンデンサ６の一端に接続され、前記第１のコンデンサ６の他端は、接地、いわゆる、アースされている。また、前記第１のコンデンサ６の一端には、第１の電圧の調整手段の一例であって、第１の出力制御部の一例としての第１のオペアンプ７の反転入力端子７ａに接続されている。
前記第１のオペアンプ７の反転入力端子７ａは、第１の利得調整用の抵抗の一例としての第１調整抵抗７ｄの一端が接続され、前記第１調整抵抗７ｄの他端は、第１の利得調整用の蓄電素子の一例としての第１調整コンデンサ７ｅの一端が接続され、前記第１調整コンデンサ７ｅの他端は、前記第１のオペアンプ７の出力端子７ｂに接続されている。
【００３４】
また、前記第１のオペアンプ７の出力端子７ｂは、第３の抵抗８の一端に接続され、前記第３の抵抗８の他端は、第１の制御素子の一例としての第１のトランジスタ９の切替端子の一例としてのベース９ａに接続されている。前記第１のトランジスタ９の入力端子の一例としてのコレクタ９ｂは、第１の電源の一例としての第１のタップ電源１１に接続されている。実施例１の前記第１のタップ電源１１は、出力電圧としての第１のタップ電圧Ｖcc1を出力する。また、前記第１のトランジスタ９の出力端子の一例としてのエミッタ９ｃは、第１の整流素子の一例としての第１のダイオード１２の陽極端子の一例としてのアノード１２ａに接続され、前記第１のダイオード１２の陰極端子の一例としてのカソード１２ｂは、前記第１のトランジスタ９のベース９ａに接続されている。
また、前記第１のトランジスタ９のエミッタ９ｃには、第２の蓄電素子の一例としての第２のコンデンサ１３の一端が接続され、前記第２のコンデンサ１３の他端はアースされている。また、前記エミッタ９ｃには、第３の蓄電素子の一例としての第３のコンデンサ１４の一端が接続され、前記第３のコンデンサ１４の他端は第４の抵抗１６の一端が直列に接続されている。
【００３５】
また、前記負電源回路１は、前記負電源回路の作動手段Ｃ３Ｆに一端が電気的に接続された第５の抵抗１７を有し、前記第５の抵抗１７の他端は、第６の抵抗１８の一端が直列に接続され、前記第６の抵抗１８の他端はアースされている。
また、前記第５の抵抗１７の他端は、第１の開閉素子の一例であって、第１の変圧駆動部の一例としての第２のトランジスタ１９のベース１９ａに接続され、前記第２のトランジスタ１９のコレクタ１９ｂは、前記第４の抵抗１６の他端に接続され、前記第２のトランジスタ１９のエミッタ１９ｃはアースされている。また、前記コレクタ１９ｂは、第１の変圧素子の一例としての第１のトランス２１の１次側の一方の端子２１ａに接続されている。前記第１のトランス２１の１次側の中間の端子２１ｂは、前記第１のトランジスタ９のエミッタ９ｃに接続され、前記第１のトランス２１の１次側の他方の端子２１ｃは、第２の整流素子の一例としての第２のダイオード２２のカソード２２ａに接続され、前記第２のダイオード２２のアノード２２ｂはアースされている。
【００３６】
また、前記第１のトランス２１の２次側の一方の端子２１ｄは、第３の整流素子の一例としての第３のダイオード２３のカソード２３ａに接続され、前記第１のトランス２１の２次側の他方の端子２１ｅはアースされている。また、前記第３のダイオード２３のアノード２３ｂは、第４の蓄電素子の一例としての第４のコンデンサ２４の一端に接続され、前記第４のコンデンサ２４の他端はアースされている。また、前記アノード２３ｂは、第７の抵抗２６の一端に接続され、前記第７の抵抗２６の他端は、第８の抵抗２７の一端に接続されている。また、前記第８の抵抗２７の他端は、第９の抵抗２８の一端が直列に接続され、前記第９の抵抗２８の他端は、第１０の抵抗２９の一端が直列に接続され、前記第１０の抵抗２９の他端は、第１１の抵抗３１の一端が直列に接続されている。また、前記第１１の抵抗３１の他端は、第１２の抵抗３２の一端が直列に接続され、前記第１２の抵抗３２の他端は、第１３の抵抗３３の一端が直列に接続されている。また、前記第１３の抵抗３３の他端は、第５の蓄電素子の一例としての第５のコンデンサ３４の一端に接続され、前記第５のコンデンサ３４の他端はアースされている。
【００３７】
また、前記第１３の抵抗３３の他端は、第１４の抵抗３６の一端が直列に接続され、前記第１４の抵抗３６の他端は、第１５の抵抗３７の一端が直列に接続され、前記第１５の抵抗３７の他端は、第１６の抵抗３８の一端が直列に接続されている。また、前記第１６の抵抗３８の他端は、第１７の抵抗３９の一端が直列に接続され、前記第１７の抵抗３９の他端は、第１８の抵抗４１の一端が直列に接続され、前記第１８の抵抗４１の他端は、第１９の抵抗４２の一端に接続され、前記第１９の抵抗４２の他端はアースされている。
また、前記第１８の抵抗４１の他端は、第２０の抵抗４３の一端が直列に接続され、前記第２０の抵抗４３の他端は、第１の参照電源４４に接続されている。実施例１の前記第１の参照電源４４は、出力電圧としての第１の参照電圧Ｖref1を出力する。
また、前記第１８の抵抗４１の他端は、第６の蓄電素子の一例としての第６のコンデンサ４６の一端に接続され、前記第６のコンデンサ４６の他端はアースされている。
また、前記第１８の抵抗４１の他端は、第２１の抵抗４７の一端が直列に接続され、前記第２１の抵抗４７の他端は、前記第１のオペアンプ７の非反転入力端子７ｃに接続され、前記第１３の抵抗３３の他端は、前記帯電ロールＣＲに直列に接続されている。
前記符号２〜４７の各部材によって実施例１の負電源回路１が構成されている。
【００３８】
（実施例１の正電源回路５１の説明）
また、転写ロールＲｔに転写電圧を印加する前記転写用の電源回路Ｅｃは、前記負電源回路１と、第２の電源の一例としての正電源回路５１によって構成されている。
実施例１の前記正電源回路５１は、コントローラＣの正電源回路の作動手段Ｃ３Ｇに一端が電気的に接続された第２２の抵抗５２を有し、前記第２２の抵抗５２の他端はアースされている。また、前記第２２の抵抗５２の一端には、第２３の抵抗５３の一端が接続され、前記第２３の抵抗５３の他端は、第７の蓄電素子の一例としての第７のコンデンサ５４の一端に接続され、前記第７のコンデンサ５４の他端はアースされている。
【００３９】
また、前記第２３の抵抗５３の他端は、第２の電圧の調整手段の一例であって、第２の出力制御部の一例としての第２のオペアンプ５６の非反転入力端子５６ａに接続され、前記第２のオペアンプ５６の反転入力端子５６ｂは、第８の蓄電素子の一例としての第８のコンデンサ５７の一端に接続され、前記第８のコンデンサ５７の他端はアースされている。
前記第２のオペアンプ５６の反転入力端子５６ｂは、第２の利得調整用の抵抗の一例としての第２調整抵抗５６ｄの一端が接続され、前記第２調整抵抗５６ｄの他端は、第２の利得調整用の蓄電素子の一例としての第２調整コンデンサ５６ｅの一端が接続され、前記第２調整コンデンサ５６ｅの他端は、前記第１のオペアンプ７の出力端子７ｂに接続されている。
【００４０】
また、前記第２のオペアンプ５６の出力端子５６ｃは、第２４の抵抗５８の一端に接続され、前記第２４の抵抗５８の他端は、第２の制御素子の一例としての第３のトランジスタ５９のベース５９ａに接続されている。前記第３のトランジスタ５９のコレクタ５９ｂは、第２の電源の一例としての第２のタップ電源６１に接続されている。実施例１の前記第２のタップ電源６１は、出力電圧としての第２のタップ電圧Ｖcc2を出力する。また、前記第３のトランジスタ５９のエミッタ５９ｃは、第４の整流素子の一例としての第４のダイオード６２のアノード６２ａに接続され、前記第４のダイオード６２のカソード６２ｂは、前記第３のトランジスタ５９のベース５９ａに接続されている。
また、前記エミッタ５９ｃには、第９の蓄電素子の一例としての第９のコンデンサ６３の一端が接続され、前記第９のコンデンサ６３の他端はアースされている。また、前記エミッタ５９ｃには、第１０の蓄電素子の一例としての第１０のコンデンサ６４の一端が接続され、前記第１０のコンデンサ６４の他端は第２５の抵抗６６の一端が直列に接続されている。
【００４１】
また、前記正電源回路５１は、前記正電源回路の作動手段Ｃ３Ｇに一端が電気的に接続された第２６の抵抗６７を有し、前記第２６の抵抗６７の他端は、第２７の抵抗６８の一端が直列に接続され、前記第２７の抵抗６８の他端はアースされている。
また、前記第２６の抵抗６７の他端は、第２の開閉素子の一例であって、第２の変圧駆動部の一例としての第４のトランジスタ６９のベース６９ａに接続され、前記第４のトランジスタ６９のコレクタ６９ｂは、前記第２５の抵抗６６の他端に接続され、前記第４のトランジスタ６９のエミッタ６９ｃはアースされている。また、前記コレクタ６９ｂは、第２の変圧素子の一例としての第２のトランス７１の１次側の一方の端子７１ａに接続されている。前記第２のトランス７１の１次側の中間の端子７１ｂは、前記第３のトランジスタ５９のエミッタ５９ｃに接続され、前記第２のトランス７１の１次側の他方の端子７１ｃは、第５の整流素子の一例としての第５のダイオード７２のカソード７２ａに接続され、前記第５のダイオード７２のアノード７２ｂはアースされている。
【００４２】
また、前記第２のトランス７１の２次側の一方の端子７１ｄは、第６の整流素子の一例としての第６のダイオード７３のアノード７３ａに接続されている。前記第６のダイオード７３のカソード７３ｂは、第１１の蓄電素子の一例としての第１１のコンデンサ７４の一端に接続され、前記第１１のコンデンサ７４の他端は、前記第２のトランス７１の２次側の他方の端子７１ｅに接続されている。また、前記第１１のコンデンサ７４の他端は、前記第１２のコンデンサ７６の一端に接続され、前記第１２のコンデンサ７６の他端は、第７の整流素子の一例としての第７のダイオード７７のアノード７７ａに接続され、前記第７のダイオード７７のカソード７７ｂは、前記第２のトランス７１の２次側の一方の端子７１ｄに接続されている。また、前記第６のダイオード７３のカソード７３ｂは、第２８の抵抗７８の一端に接続され、前記第２８の抵抗７８の他端は、前記第７のダイオード７７のアノード７７ａに接続されている。
前記符号５２〜７８の各部材によって実施例１の正電源回路５１が構成されている。
【００４３】
（実施例１の検知回路１２１の説明）
また、前記第２８の抵抗７８の他端は、前記第７の抵抗２６の他端に直列に接続され、前記第２８の抵抗７８の一端は、検知抵抗８１の一端に直列に接続され、前記検知抵抗８１の他端は、前記転写ロールＲｔに直列に接続されている。
また、前記第６のダイオード７３のカソード７３ｂは、検知抵抗８１の一端に接続され、前記検知抵抗８１の他端は、前記転写ロールＲｔに接続されている。
また、前記検知抵抗８１の一端には、第２９の抵抗８２の一端が接続され、前記第２９の抵抗８２の他端は、第１の出力安定素子の一例の一例としての第３のオペアンプ８３の非反転入力端子８３ａに接続されている。また、前記非反転入力端子８３ａは、第３０の抵抗８４の一端に接続され、前記第３０の抵抗８４の他端は、第１３の蓄電素子の一例としての第１３のコンデンサ８６の一端に接続され、前記第１３のコンデンサ８６の他端はアースされている。
【００４４】
また、前記第３０の抵抗８４の他端は、第３１の抵抗８７の一端に接続され、前記第３１の抵抗８７の他端はアースされている。また、前記第３０の抵抗８４の他端は、第３２の抵抗８８の一端に接続され、前記第３２の抵抗８８の他端は、第２の参照電源８９に接続されている。実施例１の前記第２の参照電源８９は、出力電圧としての第２の参照電圧Ｖref2を出力する。
また、前記第３のオペアンプ８３の反転入力端子８３ｂは、前記第３のオペアンプ８３の出力端子８３ｃに接続されている。
前記符号８２〜８８の各部材によって実施例１の電源側の検知部８２〜８８が構成されている。
【００４５】
また、前記検知抵抗８１の他端には、第３３の抵抗９１の一端が接続され、前記第３３の抵抗９１の他端は、第２の出力安定素子の一例の一例としての第４のオペアンプ９２の非反転入力端子９２ａに接続されている。また、前記第４のオペアンプ９２の非反転入力端子９２ａは、第３４の抵抗９３の一端に接続され、前記第３４の抵抗９３の他端は、第１４の蓄電素子の一例としての第１４のコンデンサ９４の一端に接続され、前記第１４のコンデンサ９４の他端はアースされている。
【００４６】
また、前記第３４の抵抗９３の他端は、第３５の抵抗９６の一端に接続され、前記第３５の抵抗９６の他端はアースされている。また、前記第３４の抵抗９３の他端は、第３６の抵抗９７の一端に接続され、前記第３６の抵抗９７の他端は、第３の参照電源９８に接続されている。実施例１の前記第３の参照電源９８は、出力電圧としての第３の参照電圧Ｖref3を出力する。
また、前記第４のオペアンプ９２の反転入力端子９２ｂは、前記第４のオペアンプ９２の出力端子９２ｃに接続され、前記出力端子９２ｃは、第３７の抵抗９９の一端に接続され、前記第３６の抵抗９７の他端は、前記第２のオペアンプ５６の反転入力端子５６ｂに接続されている。
【００４７】
また、前記出力端子８３ｃは、第３８の抵抗１０１の一端に接続され、前記第３８の抵抗１０１の他端は、減算素子の一例としての第５のオペアンプ１０２の一方の入力部の一例としての反転入力端子１０２ａに接続されている。また、前記反転入力端子１０２ａは、第３９の抵抗１０３の一端に接続されており、前記第３９の抵抗１０３の他端はアースされている。
また、前記第４のオペアンプ９２の出力端子９２ｃは、第３９の抵抗１０４の一端に接続され、前記第３８の抵抗１０１の他端は、前記第５のオペアンプ１０２の他方の入力部の一例としての非反転入力端子１０２ｃに接続されている。また、前記非反転入力端子１０２ｃは、第４０の抵抗１０６の一端に接続され、前記第４０の抵抗１０６の他端は、前記第５のオペアンプ１０２の出力部の一例としての出力端子１０２ｂに接続されている。
前記符号１０１〜１０６の各部材によって実施例１の電位差の出力回路の一例としての差動増幅回路１０１〜１０６が構成されている。
【００４８】
また、前記第５のオペアンプ１０２の出力端子１０２ｂは、第４１の抵抗１０７の一端に接続され、前記第４１の抵抗１０７の他端は、第１５の蓄電素子の一例としての第１５のコンデンサ１０８の一端に接続され、前記第１５のコンデンサ１０８の他端はアースされている。また、前記第４１の抵抗１０７の他端は、第８の整流素子の一例としての第８のダイオード１０９のアノード１０９ａに接続され、前記第８のダイオード１０９のカソード１０９ｂは、第２の基準電位点１１１に接続されている。なお、実施例１の前記第２の基準電位点１１１は、＋３．３［Ｖ］に予め設定されている。
また、前記第４１の抵抗１０７の他端は、コントローラＣの検知電流の測定手段ＣＡ３に電気的に接続されている。
前記符号８１〜１１１の各部材によって実施例１の検知回路１２１が構成されている。
【００４９】
（実施例１の帯電電圧Ｖ10および清掃電圧Ｖ11の説明）
実施例１の前記負電源回路１には、負電源回路の作動手段Ｃ３Ｆからの入力信号が入力される。実施例１では、入力信号の一例として、クロック信号が第５の抵抗１７側に入力され、前記クロック信号に基づく電流Ｉ1が第５の抵抗１７を介して第２のトランジスタ１９に流れる。よって、クロック信号のオン・オフによって、第２のトランジスタ１９のベース１９ａとエミッタ１９ｃとの間に前記電流Ｉ1が流れたり流れなくなったりして、第２のトランジスタ１９のコレクタ１９ｂとエミッタ１９との間が開閉される。
【００５０】
また、実施例１では、入力信号の一例として、アナログの制御電圧Ｖ3が前記符号２〜６の各部材によって構成された負電源回路１の低域通過濾波部、いわゆる、ローパスフィルタ２〜６側に入力され、前記ローパスフィルタ２〜６に印加された前記制御電圧Ｖ3は、高周波数成分が除去された電圧Ｖ4として第１のオペアンプ７に印加される。なお、実施例１では、アナログの制御電圧Ｖ3を入力信号として入力したが、これに限定されず、例えば、ＰＷＭ：pulse width modulation信号、いわゆる、パルス幅変調信号をローパスフィルタ２〜６に入力することも可能である。この場合、アナログの制御電圧Ｖ3を入力した場合と同様に、ローパスフィルタ２〜６によって高周波数成分が除去された前記電圧Ｖ4を出力することが可能である。
また、実施例１の前記負電源回路の作動手段Ｃ３Ｆでは、前記電圧Ｖ4と第１の参照電源４４からの第１の参照電圧Ｖref1に基づく電圧Ｖ5とが同じ電圧値となるように制御されており、前記各符号７ｄ，７ｅの各部材によって構成された第１の利得調整部の一例としての第１ゲイン調整部７ｄ，７ｅによって、増幅率の一例としてのゲインが調整されている。この結果、前記第１のオペアンプ７の出力端子７ｃの電圧Ｖ6は、前記電圧Ｖ4の電圧値と第１ゲイン調整部７ｄ，７ｅによって予め設定されたゲインとに基づく電圧値となるように予め設定されている。
【００５１】
また、実施例１では、電圧Ｖ6が第３の抵抗８で降下された後の降下した電圧Ｖ7が第１のトランジスタ９のベース９ａに印加され、ベース９ａの電圧Ｖ7が、エミッタ９ｃの電圧Ｖ8より高い場合には、ベース９ａとエミッタ９ｃとの間に電流Ｉ5が流れる。なお、実施例１では、Ｖ7＞Ｖ8の場合に、第１のダイオード１２を電流が流れようとしても、ベース９ａ側にカソード１２ｂが接続されているため、第１のトランジスタ９を介さずにベース９ａからエミッタ９ｃ側に電流が流れないように設定されている。すなわち、実施例１の前記第１のトランジスタ９は、前記第１のダイオード１２によって保護されている。
このとき、第１のタップ電源１１から第１のタップ電圧Ｖcc1が印加されたコレクタ９ｂからエミッタ９ｃ側に電流が流れる。すなわち、第１のトランジスタ９のコレクタ９ｂとエミッタ９ｃとの間が開放されて第１のタップ電源１１から電流Ｉ2が流れる。
【００５２】
このとき、エミッタ９ｃから流れた電流Ｉ2は、第１のトランス２１の１次側の中間の端子２１ｂ、一方の端子２１ａ、第２のトランジスタ１９のコレクタ１９ｂ、エミッタ１９ｃ、アースの順に流れる。
この結果、Ｖ7＞Ｖ8の場合、第１のトランス２１の１次側にタップ電圧Ｖcc1が印加され、第１のトランス２１の１次側に１次電流である前記電流Ｉ2が流れ、１次側の磁束の増加に伴って、２次側に電流Ｉ7が電磁誘導される。
ここで、実施例１では、負電源回路作動手段Ｃ３Ｆからクロック信号が入力される度に、Ｖ7＞Ｖ8が成立し、各トランジスタ９，１９のコレクタ９ｂ，１９ｂとエミッタ９ｃ，１９ｃとの間が開放されて１次電流Ｉ2が流れるように設定されている。すなわち、クロック信号のオン、オフが繰り返される度に、第１のトランス２１の１次側への１次電流Ｉ2のオン、オフが繰り返される。
なお、実施例１では、クロック信号のオン、オフが繰り返されることにより発生する負電源回路１の高周波のノイズ、いわゆる、スイッチングノイズは、アースされた第２のコンデンサ１３や第２のダイオード２２によって前記第１のトランス２１の１次側に回生され、第３のコンデンサ１４や第４の抵抗１６によって除去される。
【００５３】
また、実施例１では、第１のトランス２１の１次側がオフからオンになる場合、すなわち、１次電流Ｉ2が流れ始める場合、２次側の一方の端子２１ｄから他方の端子２１ｅ側に電流Ｉ7が流れるように、第１のトランス２１の巻線の巻き方向が予め設定されている。よって、第１のトランス２１の１次側がオフからオンになると、電流Ｉ7が第３のダイオード２３からアースに向かって流れると共に、第１のトランス２１に並列に接続された第４のコンデンサ２４が蓄電される。
また、第１のトランス２１の１次側がオンからオフになると、１次側の磁束の減少に伴って、２次側に電流Ｉ7とは逆方向の電流Ｉ9が電磁誘導されて他方の端子２１ｅから一方の端子２１ｄ側に流れようとするが、第３のダイオード２３によって流れることができなくなっている。このとき、第４のコンデンサ２４から放電され、放電に基づいて、電流Ｉ10が帯電ロールＣＲ側からアースに向かって流れる。
【００５４】
この結果、第１のトランス２１の１次側へのオン、オフが交互に繰り返された場合、第３のダイオード２３と第４のコンデンサ２４とによって、２次側から電流Ｉ7，Ｉ10が交互に帯電部材ＣＲ等に向かって流れることが可能になっている。よって、実施例１では、２次側から帯電部材ＣＲ等に流れる電流Ｉ7，Ｉ10である２次電流Ｉ11が直流化されている。
なお、実施例１では、アースされた感光体ＰＲ、帯電ロールＣＲ、各抵抗３３〜２６、第３のダイオード２３、第１のトランス２１の２次側、第４のコンデンサ２４、アースからなる第１の閉回路の一例としての帯電用の回路１３１が形成されている。また、アースされた感光体ＰＲ、転写ロールＲｔ、検知抵抗８１、各抵抗７８，２６、第３のダイオード２３、第１のトランス２１の２次側、第４のコンデンサ２４、アースからなる第２の閉回路の一例としての清掃用の回路１３２が形成されている。さらに、アースされた第１９の抵抗４２を含む負電源回路１内の各抵抗４２〜３６，３３〜２６、第３のダイオード２３、第１のトランス２１の２次側、第４のコンデンサ２４、アースからなる第３の閉回路の一例としての第１内部回路１３３が形成されている。
【００５５】
また、実施例１では、アースされた第３１の抵抗８７を含む検知回路１２１の各抵抗８２，８４，８７、各電源回路５１，１の各抵抗７８，２６からなる第４の閉回路１３４が形成されている。また、アースされた第３５の抵抗９６を含む検知回路１２１の各抵抗８１，９１，９３，９６、検知抵抗８１、各電源回路５１，１の各抵抗７８，２６からなる第５の閉回路１３６が形成されている。
【００５６】
したがって、前記２次電流Ｉ11の電流値は、帯電用の回路１３１を流れる第１の電流の一例としての帯電用の電流Ｉ12の電流値と、清掃用の回路１３２を流れる清掃用の電流Ｉ13の電流値と、第１内部回路１３３を流れる第３の電流の一例としての第１内部電流Ｉ14の電流値と、第４の閉回路１３４を流れる電流Ｉ16の電流値と、第５の閉回路１３６を流れる電流Ｉ17の電流値との合計値となる。
よって、入力信号のオン、オフが繰り返されて２次電流Ｉ11が流れた場合、帯電ロールＣＲに対して、前記帯電用の電流Ｉ12に応じた第１の電圧の一例としての帯電電圧Ｖ10が印加されると共に、転写ロールＲｔに対して、前記清掃用の電流Ｉ13に応じた清掃電圧Ｖ11が印加される。
なお、実施例１では、各抵抗３３，３６の間に、他端がアースされた第５のコンデンサ３４が設けられ、ノイズが侵入し難くなるように設定されており、帯電電圧Ｖ11が安定し易くなるように設定されている。
【００５７】
（実施例１の転写電圧Ｖ60の説明）
また、実施例１の前記正電源回路５１には、前記負電源回路１と同様に、正電源回路の作動手段Ｃ３Ｇからの入力信号が入力される。実施例１では、入力信号の一例として、クロック信号が第２６の抵抗６７側に入力され、前記クロック信号に基づく電流Ｉ51が第２６の抵抗６７を介して第４のトランジスタ６９に流れる。よって、クロック信号のオン・オフによって、第４のトランジスタ６９のベース６９ａとエミッタ６９ｃとの間に前記電流Ｉ51が流れたり流れなくなったりして、第４のトランジスタ６９のコレクタ６９ｂとエミッタ６９との間が開閉される。また、実施例１では、入力信号の一例として、アナログの制御電圧Ｖ53が前記符号５２〜５４の各部材によって構成された正電源回路５１のローパスフィルタ５２〜５４側に入力され、前記ローパスフィルタ５２〜５４に印加された前記制御電圧Ｖ53は、高周波数成分が除去された電圧Ｖ54として第２のオペアンプ５６に印加される。
【００５８】
なお、実施例１の前記正電源回路の作動手段Ｃ３Ｇでは、前記負電源回路の作動手段Ｃ３Ｆと同様に、前記電圧Ｖ54と第２のオペアンプ５６の反転入力端子５６ｂに印加される電圧Ｖ55とが同じ電圧値となるように制御されており、前記各符号５６ｄ，５６ｅの各部材によって構成された第２の利得調整部の一例としての第２ゲイン調整部５６ｄ，５６ｅによってゲインが調整されている。この結果、前記第２のオペアンプ５６の出力端子５６ｃの電圧Ｖ56は、前記電圧Ｖ54の電圧値と第２ゲイン調整部５６ｄ，５６ｅによって予め設定されたゲインとに基づく電圧値となるように予め設定されている。
【００５９】
また、実施例１では、電圧Ｖ56が第２４の抵抗５８で降下された後の降下した電圧Ｖ57が第３のトランジスタ５９のベース５９ａに印加され、ベース５９ａの電圧Ｖ57が、エミッタ５９ｃの電圧Ｖ58より高い場合には、ベース５９ａとエミッタ５９ｃとの間に電流Ｉ54が流れる。なお、実施例１では、Ｖ57＞Ｖ58の場合に、第４のダイオード６２を電流が流れようとしても、ベース５９ａ側にカソード６２ｂが接続されているため、第３のトランジスタ５９を介さずにベース５９ａからエミッタ５９ｃ側に電流が流れないように設定されている。すなわち、実施例１の前記第１のトランジスタ９は、前記第１のダイオード１２によって保護されている。
このとき、第２のタップ電源６１から第２のタップ電圧Ｖcc2が印加されたコレクタ５９ｂからエミッタ５９ｃ側に電流が流れる。すなわち、第３のトランジスタ５９のコレクタ５９ｂとエミッタ５９ｃとの間が開放されて第２のタップ電源６１から電流Ｉ52が流れる。
【００６０】
このとき、エミッタ５９ｃから流れた電流Ｉ52は、第２のトランス７１の１次側の中間の端子７１ｂ、一方の端子７１ａ、第４のトランジスタ６９のコレクタ６９ｂ、エミッタ６９ｃ、アースの順に流れる。
この結果、Ｖ57＞Ｖ58の場合、第２のトランス７１の１次側に第２のタップ電圧Ｖcc2が印加され、１次電流である前記電流Ｉ52が流れ、１次側の磁束の増加に伴って、２次側に電流Ｉ57が電磁誘導される。
ここで、実施例１の前記正電源回路５１では、負電源回路１と同様に、入力信号が入力される度に、Ｖ57＞Ｖ58が成立し、各トランジスタ５９，６９のコレクタ５９ｂ，６９ｂとエミッタ５９ｃ，６９ｃとの間が開放されて１次電流Ｉ52が流れるように設定されている。すなわち、入力信号のオン、オフが繰り返される度に、第１のトランス２１の１次側への１次電流Ｉ2のオン、オフが繰り返される。
なお、実施例１では、クロック信号のオン、オフが繰り返されることにより発生する正電源回路５１のスイッチングノイズは、アースされた第９のコンデンサ６３や第５のダイオード７２によって前記第１のトランス２１の１次側に回生され、第３のコンデンサ１４や第４の抵抗１６によって除去される。
【００６１】
また、実施例１では、第２のトランス７１の１次側がオフからオンになる場合、すなわち、１次電流Ｉ52が流れ始める場合、２次側の他方の端子７１ｅから一方の端子７１ｄ側に電流Ｉ57が流れるように、第２のトランス７１の巻線の巻き方向が予め設定されている。
よって、第２のトランス７１の１次側がオフからオンになると、第６のダイオード７３側から電流Ｉ57が各抵抗７８，８１，８２に向かって流れると共に、第２のトランス７１に並列に接続された第１１のコンデンサ７４が蓄電される。また、前記電流Ｉ57は、各抵抗７８，８１＋９１＋９３＋９６＋４２〜３６＋３３〜２７，８１＋Ｒｔ＋ＰＲ＋４２〜３６＋３３〜２７，８２＋８４＋８７＋４２〜３６＋３３〜２７を流れた後に、第１２のコンデンサ７６に流れ、第１２のコンデンサ７６が蓄電される。
【００６２】
また、第２のトランス７１の１次側がオンからオフになると、２次側に電流Ｉ57とは逆方向の電流Ｉ59が第６のダイオード７３側から第１２のコンデンサ７６に向かって流れる。このとき、第１２のコンデンサ７６から放電され、放電に基づいて、電流Ｉ60が第７のダイオード７７に向かって流れる。このため、前記電流Ｉ60が、第７のダイオード７７から第２のトランス７１の２次側に流れると共に、前記電流Ｉ59が第１２のコンデンサ７６に流れ、第１２のコンデンサ７６が蓄電される。
なお、前記電流Ｉ59，Ｉ60は、第１２のコンデンサ７６の静電容量やＥＳＲ：Equivalent Series Resistance、いわゆる、等価直列抵抗等の内部インピーダンスを流れることにより、電力消費される。
【００６３】
また、このとき、第１１のコンデンサ７４から放電され、放電に基づいて、電流Ｉ61が、前記電流Ｉ57と同様に、各抵抗７８，８１，８２に向かって流れる。また、前記電流Ｉ61は、各抵抗７８，８１＋９１＋９３＋９６＋４２〜３６＋３３〜２７，８１＋Ｒｔ＋ＰＲ＋４２〜３６＋３３〜２７，８２＋８４＋８７＋４２〜３６＋３３〜２７を流れた後に、第７のダイオード７７、第２のトランス７１の２次側、第１２のコンデンサ７６の順に流れる。
さらに、第２のトランス７１の１次側がオフからオンになると、前記電流Ｉ57が各抵抗７８，８１，８２に向かって流れ且つ第１１のコンデンサ７４が蓄電される。このとき、第１２のコンデンサ７６から放電され、放電に基づいて、電流Ｉ62が第２のトランス７１の２次側に向かって流れる。前記電流Ｉ62は、前記電流Ｉ57と同様に、各抵抗７８，８１＋９１＋９３＋９６＋４２〜３６＋３３〜２７，８１＋Ｒｔ＋ＰＲ＋４２〜３６＋３３〜２７，８２＋８４＋８７＋４２〜３６＋３３〜２７を流れた後に、第１２のコンデンサ７６に流れ、第１２のコンデンサ７６が蓄電される。
【００６４】
この結果、第２のトランス７１の１次側へのオン、オフが交互に繰り返された場合、各ダイオード７３，７７と各コンデンサ７４，７６とによって、２次側から電流Ｉ57，Ｉ61，Ｉ62が交互に転写ロールＲｔ等に向かって流れることが可能になっている。よって、実施例１では、２次側から転写ロールＲｔ等に向かって流れる電流Ｉ57，Ｉ61，Ｉ62である２次電流Ｉ63が直流化されている。
なお、実施例１では、各コンデンサ７４，７６の静電容量が大きく設定されており、放電する時間を長くすることにより、２次電流Ｉ63の出力波形をより直流に近づけることが可能になっている。
【００６５】
なお、実施例１では、検知抵抗８１、転写ロールＲｔ、アースされた感光体ＰＲ、アースされた第１９の抵抗４２を含む負電源回路１内の各抵抗４２〜３６，３３〜２７、各コンデンサ７４，７６、第２のトランス７１の２次側、各ダイオード７３，７７からなる第６の閉回路１４１が形成されている。また、アースされた第３１の抵抗８７を含む検知回路１２１の各抵抗８２，８４，８７、アースされた第１９の抵抗４２を含む負電源回路１内の各抵抗４２〜３６，３３〜２７、各コンデンサ７４，７６、第２のトランス７１の２次側、各ダイオード７３，７７からなる第７の閉回路１４２が形成されている。さらに、検知抵抗８１、アースされた第３５の抵抗９６を含む検知回路１２１の各抵抗８１，９１，９３，９６、アースされた第１９の抵抗４２を含む負電源回路１内の各抵抗４２〜３６，３３〜２７、各コンデンサ７４，７６、第２のトランス７１の２次側、各ダイオード７３，７７からなる第８の閉回路１４３が形成されている。
【００６６】
したがって、前記２次電流Ｉ63の電流値は、第２８の抵抗７８を流れる電流Ｉ64の電流値と、第６の閉回路１４１の転写ロールＲｔを流れる電流Ｉ65の電流値と、第７の閉回路１４２の第２９の抵抗８２を流れる電流Ｉ66の電流値と、第８の閉回路１４３の第３３の抵抗９１を流れる電流Ｉ67の電流値との合計値となる。
なお、実施例１では、転写ロールＲｔの表面に付着したトナー等を感光体ＰＲに移動させてクリーニングブレードＣＬ１で除去する清掃動作の一例としてのクリーニング動作時には、負電源回路作動手段Ｃ３Ｆから入力信号が入力される。また、帯電ロールＣＲと転写ロールＲｔとを作動させる画像形成動作の一例としてのジョブ実行時には、負電源回路作動手段Ｃ３ＦＣＡ１と正電源回路作動手段Ｃ３Ｇとから入力信号が入力される。
【００６７】
よって、各電源回路１，５１の入力信号のオン、オフが繰り返されて２次電流Ｉ11，Ｉ63が流れた場合、転写ロールＲｔに対して、前記清掃用の電流Ｉ13と前記電流Ｉ65とに応じた重畳電圧の一例としての転写電圧Ｖ60が印加される。すなわち、電流Ｉ65の電流値と清掃用の電流Ｉ13の電流値との差分値が電流値となる第２の電流の一例としての転写用の電流Ｉ68と、転写ロールＲｔからアースされた感光体ＰＲまでの抵抗値との積算した電圧値の転写電圧Ｖ60が印加される。
なお、転写ロールＲｔに転写用の電流Ｉ68が流れた場合、前記検知回路１２１の各抵抗８２，８４，８７に前記第２内部電流Ｉ66の電流値と前記電流Ｉ16の電流値との差分値が電流値となる第２内部電流Ｉ69が流れ、各抵抗９１，９３，９６に前記第３内部電流Ｉ67の電流値と前記電流Ｉ17の電流値との差分値が電流値となる第４の電流の一例としての第３内部電流Ｉ70が流れる。
また、実施例１では、各電流Ｉ68〜Ｉ70について、｜Ｉ68｜＝｜Ｉ65｜−｜Ｉ13｜＞０，｜Ｉ69｜＝｜Ｉ66｜−｜Ｉ16｜＞０，｜Ｉ70｜＝｜Ｉ67｜−｜Ｉ17｜＞０が成立するように予め設定されている。
【００６８】
また、電流Ｉ69に基づく電圧Ｖ61が第２９の抵抗８２で降下され、降下した電圧Ｖ62が第３のオペアンプ８３の非反転入力端子８３ａに印加される。ここで、第３のオペアンプ８３の反転入力端子８３ｂは出力端子８３ｃに接続されているため、第３のオペアンプ８３は、いわゆる、ボルテージフォロアとして、非反転入力端子８３ａに印加された電圧Ｖ62を出力する。前記電圧Ｖ62は、第２の参照電源８９からの第２の参照電圧Ｖref2が第３２の抵抗８８で降下した電圧Ｖ63に基づく電圧値に設定されている。
なお、実施例１では第３２の抵抗８８の一端に、他端がアースされた第１３のコンデンサ８６を設けることにより、前記各コンデンサ３４〜６３と同様に、ノイズが侵入し難くなるように設定されており、電圧Ｖ63が安定し易くなるように設定されている。
また、前記出力端子８３ｃから出力された前記電圧Ｖ62は、第３８の抵抗１０１によって降下され、降下した電圧Ｖ64が第５のオペアンプ１０２の反転入力端子１０２ａに印加される。
【００６９】
また、第３内部電流Ｉ70に基づく電圧Ｖ65についても前記電圧Ｖ61と同様に、第３３の抵抗９１で降下され、降下した電圧Ｖ66が第４のオペアンプ９２の非反転入力端子９２ａに印加される。なお、前記電圧Ｖ65の電圧値は、転写電圧Ｖ60の電圧値と対応しており、Ｖ65＝Ｖ60が成立する。また、第４のオペアンプ９２は、ボルテージフォロアとして、出力端子９２ｃから前記電圧Ｖ66を出力する。前記電圧Ｖ66は、前記電圧Ｖ61と同様に、第３の参照電源９８からの第３の参照電圧Ｖref3が第３４の抵抗９３で降下した電圧Ｖ67に基づく電圧値に設定されている。
なお、実施例１では、第３４の抵抗９３の一端に、他端がアースされた第１４のコンデンサ９４を設けることにより、前記各コンデンサ３４〜８６と同様に、ノイズが侵入し難くなるように設定されており、電圧Ｖ67が安定し易くなるように設定されている。
また、前記出力端子９２ｃから出力された前記電圧Ｖ66は、前記電圧Ｖ62と同様に、第３９の抵抗１０４によって降下され、降下した電圧Ｖ68が第５のオペアンプ１０２の非反転入力端子１０２ｃに印加される。
【００７０】
ここで、実施例１では、各抵抗１０１，１０３〜１０６の抵抗値が同一となるように予め設定されており、第５のオペアンプ１０２は、いわゆる、差動回路として、出力端子１０２ｂから電圧Ｖ66と電圧Ｖ62との差分である電圧Ｖ69が出力される。すなわち、Ｖ69＝Ｖ66−Ｖ62が成立する電圧Ｖ69が出力される。また、前記電圧Ｖ69は、第４１の抵抗１０７で降下され、降下された電圧Ｖ70に基づく出力信号がコントローラＣの出力信号の受信手段Ｃ５に出力される。
なお、実施例１では、第４１の抵抗１０７の他端に、他端がアースされた第１５のコンデンサ１０８を設けることにより、前記各コンデンサ３４〜９４と同様に、ノイズが侵入し難くなるように設定されており、電圧Ｖ70が安定し易くなるように設定されている。また、前記電圧Ｖ70は、第２の基準電位点１１１の＋３．３［Ｖ］を上限とする電圧値となるように検知回路１２１の各抵抗の抵抗値が予め設定されている。このため、電圧Ｖ70が第２の基準電位点１１１の電圧以下の場合、コントローラＣ側に電流Ｉ71が流れ、第８のダイオード１０９に電流が流れないようになっている。なお、電圧Ｖ72が第２の基準電位点１１１の電圧より大きい場合でも、第８のダイオード１０９に電流Ｉ72を流してコントローラＣ側に大きな電流値の電流Ｉ71が流れないようになっている。
【００７１】
（実施例１の正電源回路５１の定電圧制御の説明）
また、第４のオペアンプ９２の出力端子９２ｃから出力された前記電圧Ｖ66は、第３７の抵抗９９で降下され、降下した前記電圧Ｖ55が第２のオペアンプ５６の反転入力端子５６ｂに印加される。
よって、検知抵抗８１の転写ロールＲｔ側の電圧Ｖ65が各抵抗９１，９９で降下した電圧Ｖ55が第２のオペアンプ５６にフィードバックされており、第２のオペアンプ５６は、入力される電圧Ｖ55の変動が収束するように出力する正電圧Ｖ56が変化する。具体的には、第２のオペアンプ５６は、入力された電圧Ｖ55が増加した場合に、Ｖ54−Ｖ55が減少して出力する正電圧Ｖ56が減少し、電圧Ｖ55が減少した場合に、Ｖ54−Ｖ55が増加して正電圧Ｖ56が増加する。よって、正電源回路５１では、第２のトランス７１の２次側の電圧Ｖ65が、入力信号に基づく電圧Ｖ54の電圧値に応じた電圧値に収束する。
この結果、実施例１の前記正電源回路５１は、第２のトランス７１の２次側の電圧Ｖ65を安定させることが可能となっている。
前記符号５６，５７，９１〜９９の各部材によって実施例１の重畳電圧の検知部１５１が構成されている。
【００７２】
（実施例１の負電源回路１の定電圧制御の説明）
また、アースされた第１９の抵抗４２に第１内部電流Ｉ14や正電源回路５１からの２次電流Ｉ63が流れて０［Ｖ］から降下した第３の電圧の一例としての電圧Ｖ71は、第２０の抵抗４７で降下され、降下した前記電圧Ｖ5が第１のオペアンプ７の非反転入力端子７ｃに印加される。
よって、電圧Ｖ5が第１のオペアンプ７にフィードバックされており、第１のオペアンプ７は、入力される電圧Ｖ5の変動が収束するように出力する正電圧Ｖ6が変化する。具体的には、第１のオペアンプ７は、第２のオペアンプ５６と同様に、入力された電圧Ｖ5が増加した場合に、Ｖ4−Ｖ5が減少して出力する正電圧Ｖ6が減少し、電圧Ｖ5が減少した場合に、Ｖ4−Ｖ5が増加して正電圧Ｖ6が増加する。よって、負電源回路１では、正電源回路５１と同様に、第１のトランス２１の２次側の電圧Ｖ71が、入力信号に基づく電圧Ｖ4の電圧値に応じた電圧値に収束する。
この結果、実施例１の前記負電源回路１は、第１のトランス２１の２次側の電圧Ｖ71を安定させることが可能となっている。
前記符号７，４２〜４７の各部材によって実施例１の第１の電圧検知部１５２が構成されている。
【００７３】
（実施例１の負電源回路１の電流と正電源回路５１の電流との関係についての説明）
また、実施例１では、帯電電圧Ｖ10の電圧値が、−７００［Ｖ］、転写電圧Ｖ60の電圧値が、＋１［ｋＶ］の前後で調整可能となるように、各トランス２１，７１の１次側と２次側のコイルの巻数比Ｎ１，Ｎ２や、各電圧Ｖcc1，Ｖcc2，Ｖ8，Ｖ58等が予め設定されている。また、実施例１では、第１のトランス２１の２次側の２次電流Ｉ11の電流値が、第２のトランス７１の２次側の２次電流Ｉ63の電流値より十分に大きくなるように、各トランス２１，７１の１次側に流れる１次電流Ｉ2，Ｉ52の電流値等が予め設定されている。
よって、実施例１では、以下の式（１−１），（１−２）が成立する。
｜Ｉ11｜>>｜Ｉ63｜    …式（１−１）
｜Ｉ12＋Ｉ13＋Ｉ14＋Ｉ16＋Ｉ17｜>>｜Ｉ64＋Ｉ65＋Ｉ66＋Ｉ67｜    …式（１−２）
【００７４】
また、第１のトランス２１の２次側に並列に接続された各回路１３１，１３２，１３３，１３４，１３６の抵抗値をＲa1，Ｒa2，Ｒa3，Ｒa4，Ｒa6とし、各回路１３１〜１３３に印加される電圧の電圧値をＶaとし、第２のトランス７１の２次側に並列に接続された各回路７８，１４１，１４２，１４３の抵抗値をＲb1，Ｒb2，Ｒb3，Ｒb4とし、各回路７８，１３１〜１３３に印加される電圧をＶbとした場合に、前記式（１−２）について、以下の式（１−３）が成立する。
｜（Ｖa／Ｒa1）＋（Ｖa／Ｒa2）＋（Ｖa／Ｒa3）＋（Ｖa／Ｒa4）＋（Ｖa／Ｒa6）｜
>>｜（Ｖb／Ｒb1）＋（Ｖb／Ｒb2）＋（Ｖb／Ｒb3）＋（Ｖb／Ｒb4）｜
…式（１−３）
【００７５】
また、実施例１では、各トランス２１，７１の２次側において、帯電用の電流Ｉ12の電流値が、正電源回路５１の各電流Ｉ65〜Ｉ67の電流値より十分に大きくなるように各回路１３１〜１３３，７８，１４１〜１４３の抵抗値が予め設定されている。すなわち、以下の式（２−１）〜（２−３）が成立するように予め設定されている。
｜Ｉ12｜>>｜Ｉ65｜    …式（２−１）
｜Ｉ12｜>>｜Ｉ66｜    …式（２−２）
｜Ｉ12｜>>｜Ｉ67｜    …式（２−３）
よって、帯電ロールＣＲに流れる帯電用の電流Ｉ12が、転写ロールＲｔに流れる転写用の電流Ｉ68より十分に大きくなるように予め設定されている。すなわち、以下の式（３−１），（３−２）が成立するように予め設定されている。
｜Ｉ12｜>>｜Ｉ68｜＞０    …式（３−１）
｜Ｉ12｜>>｜Ｉ65｜−｜Ｉ13｜＞０    …式（３−２）
【００７６】
（実施例１の制御部の説明）
図５は実施例１のプリンタの制御部分が備えている各機能を機能ブロック図で示した図である。
図５において、実施例１のプリンタＵのコントローラＣは、小型の情報処理装置、いわゆるマイクロコンピュータにより構成されており、外部との信号の入出力、および、入出力信号レベルの調節等を行うＩ／Ｏ、必要な処理を実行するためのプログラム、および、データ等が記憶されたＲＯＭ、必要なデータを一時的に記憶するためのＲＡＭや、ＨＤＤ、前記ＲＯＭや、前記ＨＤＤに記憶されたプログラムに応じた処理を行うＣＰＵ、ならびにクロック発振器等を有しており、前記ＲＯＭに記憶されたプログラムを実行することにより種々の機能を実現することができる。
【００７７】
（実施例１のコントローラＣに接続された信号入力要素）
前記コントローラＣには、操作部ＵＩ、検知回路１２１等の信号出力要素からの出力信号が入力されている。
前記操作部ＵＩは、プリンタＵの電源のオン、オフをする電源釦ＵＩ１、表示部ＵＩ２、方向入力釦の一例としての矢印キー等の各種の入力釦ＵＩ３等を有する。
前記検知回路１２１は、電圧Ｖ65が第３３の抵抗９１で降下した電圧Ｖ66と、電圧Ｖ61が第２９の抵抗８２で降下した電圧Ｖ62との差分の電圧Ｖ69が第４１の抵抗１０７で降下した電圧Ｖ70を出力する。すなわち、前記検知回路１２１は、検知抵抗８１の第２のトランス７１側の電圧Ｖ61と転写ロールＲｔ側の電圧Ｖ65との電位差である検知電圧Ｖ72に基づく電圧Ｖ70を出力する。
【００７８】
（実施例１のコントローラＣに接続された被制御要素）
コントローラＣは、次の被制御要素ＤＬ，Ｄ１，Ｅの制御信号を出力している。
レーザ駆動回路ＤＬは、潜像形成装置ＲＯＳを制御して、感光体ＰＲ表面に潜像を形成する。
主駆動源の駆動回路の一例としてのメインモータ駆動回路Ｄ１は、主駆動源の一例としてのメインモータＭ１を駆動することにより、感光体ＰＲ等を回転駆動する。
【００７９】
電源回路Ｅは、現像用の電源回路Ｅａ、帯電用の電源回路Ｅｂ、転写用の電源回路Ｅｃ等を有する。
現像用の電源回路Ｅａは、現像装置Ｇの現像ロールＧａに現像電圧を印加する。
帯電用の電源回路Ｅｂは、負電源回路１を制御して、帯電ロールＣＲに帯電電圧Ｖ10を印加する。
転写用の電源回路Ｅｃは、負電源回路１および正電源回路５１を制御して、転写ロールＲｔに転写電圧Ｖ60を印加する。
【００８０】
（実施例１のコントローラＣの機能）
前記コントローラＣは、前記信号出力要素からの入力信号に応じた処理を実行して、前記各制御要素に制御信号を出力する機能を有している。すなわち、コントローラＣは次の機能を有している。
Ｃ１：ジョブ制御手段
画像形成動作の制御手段の一例としてのジョブ制御手段Ｃ１は、受信した画像の情報に応じて、前記帯電ロールＣＲ、転写ロールＲｔ、定着装置Ｆ等の動作を制御して画像形成動作の一例としてのジョブを実行する。
【００８１】
Ｃ２：メインモータ制御手段
主駆動源の制御手段の一例としてのメインモータ制御手段Ｃ２は、メインモータ駆動回路Ｄ１を介して前記メインモータＭ１の駆動を制御して、現像装置Ｇ、定着装置Ｆの加熱ロールＦｈ、排出ロールＲｈ等の駆動を制御する。
Ｃ３：電源制御手段
電源制御手段Ｃ３は、現像電圧の制御手段Ｃ３Ａと、帯電電圧の制御手段Ｃ３Ｂと、転写電圧の制御手段Ｃ３Ｃと、清掃電圧の制御手段Ｃ３Ｄと、負電源回路１に入力信号を入力して負電源回路１を作動させる負電源回路の作動手段Ｃ３Ｆと、正電源回路５１に入力信号を入力して正電源回路５１を作動させる正電源回路の作動手段Ｃ３Ｇとを有し、電源回路Ｅの作動を制御して、各部材への電圧や電源供給を制御する。
【００８２】
Ｃ３Ａ：現像電圧の制御手段
現像電圧の制御手段Ｃ３Ａは、現像用の電源回路Ｅａを制御して現像器Ｇの現像ロールＧａに印加する現像電圧を制御する。
Ｃ３Ｂ：帯電電圧の制御手段
帯電電圧の制御手段Ｃ３Ｂは、帯電用の電源回路Ｅｂを制御して、帯電ロールＣＲに印加する帯電電圧Ｖ10を制御する。実施例１の前記帯電電圧の制御手段Ｃ３Ｂは、負電源回路の作動手段Ｃ３Ｆを介して、負電源回路１から出力される電圧を制御することにより、帯電電圧Ｖ10を制御する。
Ｃ３Ｃ：転写電圧の制御手段
転写電圧の制御手段Ｃ３Ｃは、転写用の電源回路Ｅｃを制御して、転写ロールＲｔに印加する転写電圧Ｖ60を制御する。実施例１の前記転写電圧の制御手段Ｃ３Ｃは、負電源回路の作動手段Ｃ３Ｆと正電源回路の作動手段Ｃ３Ｇとを介して、各電源回路１，５１から出力される電圧を制御することにより、転写電圧Ｖ60を制御する。
【００８３】
Ｃ３Ｄ：清掃電圧の制御手段
清掃電圧の制御手段Ｃ３Ｄは、転写用の電源回路Ｅｃを制御して、転写ロールＲｔに印加する清掃電圧Ｖ11を制御する。実施例１の前記清掃電圧の制御手段Ｃ３Ｄは、負電源回路の作動手段Ｃ３Ｆを介して、負電源回路１から出力される電圧を制御することにより、清掃電圧Ｖ11を制御する。
Ｃ４：潜像形成の制御手段
潜像形成の制御手段Ｃ４は、レーザ駆動回路ＤＬを介して潜像形成装置ＲＯＳを制御し、感光体ＰＲ表面に静電潜像を形成する。
【００８４】
Ｃ５：出力信号の受信手段
出力信号の受信手段Ｃ５は、検知回路１２１から出力信号を受信する。
Ｃ６：検知電圧の検知手段
検知電圧の検知手段Ｃ６は、前記出力信号受信手段Ｃ５が出力信号を受信した場合に、検知抵抗８１の第２のトランス７１側の電圧Ｖ61と転写ロールＲｔ側の電圧Ｖ65との電位差である検知電圧Ｖ72を測定する。なお、実施例１では、差動増幅回路１０１〜１０６の出力端子１０２ｂから出力された電圧Ｖ69について、Ｖ69＝Ｖ66−Ｖ62≒Ｖ65−Ｖ61＝Ｖ72が成立するように予め設定されている。具体的には、転写ロールＲｔに対して、各抵抗８２，８４，８７，９１，９３，９６の抵抗値が大きく設定され、各抵抗８２，８４，８７，９１，９３，９６に流れる各電流Ｉ69，Ｉ70の電流値が小さくなるように予め設定されている。また、前記各電圧Ｖ61，Ｖ65が各抵抗８２，９１で降下した各電圧Ｖ62，Ｖ66についても、Ｖ61≒Ｖ62，Ｖ65≒Ｖ66が成立するように各抵抗８２，９１や各電流Ｉ69，Ｉ70が設定されている。
【００８５】
よって、実施例１の前記検知電圧の検知手段Ｃ６は、受信した出力信号に基づく電圧Ｖ70の電圧値と、出力信号に基づく電流Ｉ69の電流値と、予め設定された第４１の抵抗１０７の抵抗値とによって、電圧Ｖ69の電圧値を演算することにより、検知電圧Ｖ72を測定する。なお、実施例１では、検知抵抗８１における電力消費を低減するために、検知抵抗８１の抵抗値が小さく設定されており、検知電圧Ｖ72が小さくなるように設定されている。
前記電源側の検知部８２〜８８と前記重畳電圧の検知部１５１と前記差動増幅回路１０１〜１０６とを有する前記検知回路１２１と、前記出力信号の受信手段Ｃ５と、前記検知電圧の検知手段Ｃ６とによって、実施例１の検知電圧の測定手段１２１＋Ｃ５＋Ｃ６が構成されている。
【００８６】
Ｃ７：検知電流の測定手段
検知電流の測定手段Ｃ７は、前記検知電圧の測定手段１２１＋Ｃ５＋Ｃ６によって検知電圧Ｖ72が測定された場合に、検知抵抗８１に流れる検知電流Ｉ73を測定する。実施例１の前記検知電流の測定手段Ｃ７は、測定された検知電圧Ｖ72の電圧値を、予め設定された検知抵抗８１の抵抗値で除算することにより、検知電流Ｉ73を測定する。
Ｃ８：第３内部電流の測定手段
第４の電流の測定手段の一例としての第３内部電流の測定手段Ｃ８は、前記検知電流の測定手段Ｃ７によって検知電流Ｉ73が測定された場合に、各抵抗９１，９３，９６に流れる第３内部電流Ｉ70を測定する。実施例１の前記第３内部電流の測定手段Ｃ８は、予め設定された電圧Ｖ53，Ｖref3の電圧値と、予め設定された各抵抗９１，９３，９６，９７の抵抗値とに基づいて、第３内部電流Ｉ70を測定する。
【００８７】
Ｃ９：転写用の電流の測定手段
第２の電流の測定手段の一例としての転写用の電流の測定手段Ｃ９は、前記第３内部電流の測定手段Ｃ８によって第３内部電流Ｉ70が測定された場合に、転写ロールＲｔに流れる転写用の電流Ｉ68を測定する。実施例１の前記転写用の電流の測定手段Ｃ９は、前記検知電流の測定手段Ｃ７によって測定された検知電流Ｉ73を、前記第３内部電流の測定手段Ｃ８によって測定された第３内部電流Ｉ70で減算することにより、転写用の電流Ｉ68を測定する。
【００８８】
Ｃ１０：転写用の電源出力調整手段
第２の電源出力調整手段の一例としての転写用の電源出力調整手段Ｃ１０は、前記各電流の測定手段Ｃ７，Ｃ９によって電流Ｉ73，Ｉ68が測定された場合に、正電源回路５１を制御して出力を調整する。実施例１の前記転写用の電源出力調整手段Ｃ１０は、前記転写用の電流の測定手段Ｃ９によって転写用の電流Ｉ68が測定された場合に、測定された転写用の電流Ｉ68に基づいて、正電源回路５１を制御して、転写用の電流Ｉ68の電流値を調整する。実施例１の前記転写用の電流の調整手段Ｃ１０は、測定された転写用の電流Ｉ68の電流値が、予め設定された最小値Ｉminより小さい場合に、転写電圧Ｖ60の電圧値が予め設定された最小調整値Ｖαだけ大きくなるように、正電源回路５１への入力信号を調整することにより、転写用の電流Ｉ68の電流値を大きくする。また、前記転写用の電流の調整手段Ｃ１０は、測定された転写用の電流Ｉ68の電流値が、予め設定された最大値Ｉmaxより大きい場合に、転写電圧Ｖ60の電圧が前記最小調整値Ｖαだけ小さくなるように、正電源回路５１への入力信号を調整することにより、転写用の電流Ｉ68の電流値を小さくする。
【００８９】
（実施例１の流れ図の説明）
次に、実施例１のプリンタＵの処理の流れを流れ図、いわゆるフローチャートを使用して説明する。
（実施例１の転写用の電流調整処理のフローチャートの説明）
図６は実施例１の転写用の電流調整処理のフローチャートである。
図６のフローチャートの各ＳＴ：ステップの処理は、プリンタＵのコントローラＣのハードディスク等に記憶されたプログラムに従って行われる。また、この処理はプリンタＵの他の各種処理と並行して並列処理で実行される。
図６に示すフローチャートはプリンタＵの電源が投入された時に開始される。
【００９０】
図６のＳＴ１において、画像情報等を受信して、画像形成動作であるジョブが開始されたか否かを判別する。イエス（Ｙ）の場合はＳＴ２に移り、ノー（Ｎ）の場合はＳＴ１を繰り返す。
ＳＴ２において、転写用の電流Ｉ68を測定する転写用の電流測定処理を実行する。そして、ＳＴ３に移る。
ＳＴ３において、測定された転写用の電流Ｉ68の電流値が、予め設定された最小値Ｉminより小さいか否かを判別する。イエス（Ｙ）の場合はＳＴ４に移り、ノー（Ｎ）の場合はＳＴ５に移る。
ＳＴ４において、転写電圧Ｖ60の電圧値が予め設定された最小調整値Ｖαだけ大きくなるように正電源回路５１への入力信号を調整して、転写用の電流Ｉ68の電流値を大きくする。そして、ＳＴ７に移る。
【００９１】
ＳＴ５において、測定された転写用の電流Ｉ68の電流値が、予め設定された最大値Ｉmaxより大きいか否かを判別する。イエス（Ｙ）の場合はＳＴ６に移り、ノー（Ｎ）の場合はＳＴ７に移る。
ＳＴ６において、転写電圧Ｖ60の電圧値が予め設定された最小調整値Ｖαだけ小さくなるように正電源回路５１への入力信号を調整して、転写用の電流Ｉ68の電流値を小さくする。そして、ＳＴ７に移る。
ＳＴ７において、ジョブが終了されたか否かを判別する。イエス（Ｙ）の場合はＳＴ１に戻り、ノー（Ｎ）の場合はＳＴ２に戻る。
【００９２】
（実施例１の転写用の電流測定処理のフローチャートの説明）
図７は実施例１の転写用の電流測定処理のフローチャートであり、図６のＳＴ２のサブルーチンの説明図である。
図７のＳＴ１１において出力信号から電圧Ｖ70を読み込む。そして、ＳＴ１２に移る。
ＳＴ１２において、読み込まれた電圧Ｖ70から検知電圧Ｖ72を測定し、測定された検知電圧Ｖ72の電圧値を、予め設定された検知抵抗８１の抵抗値で除算して、検知電流Ｉ73の電流値を測定する。そして、ＳＴ１３に移る。
ＳＴ１３において、入力信号の電圧Ｖ53，Ｖref3の電圧値と、各抵抗９１，９３，９６，９７の抵抗値とに基づいて、第３内部電流Ｉ70の電流値を測定する。そして、ＳＴ１４に移る。
ＳＴ１４において、測定された検知電流Ｉ73の電流値を第３内部電流Ｉ70の電流値で減算して、転写用の電流Ｉ68の電流値を測定する。そして、転写用の電流測定処理を終了して図６のＳＴ２に戻る。
【００９３】
（実施例１の作用）
図８は実施例１の作用説明図であり、帯電用の電源回路および転写用の電源回路の等価回路の説明図である。
前記構成を備えた実施例１のプリンタＵでは、図８に示すように、ジョブ実行時に、帯電ロールＣＲには負電源回路１から帯電電圧Ｖ10が印加されると共に、転写ロールＲｔには各電源回路１，５１からの電圧が重畳された転写電圧Ｖ60が印加されている。また、前記プリンタＵでは、クリーニング動作時に、転写ロールＲｔに負電源回路１から清掃電圧Ｖ11が印加されている。
したがって、実施例１では、クリーニング動作時に転写用の電源回路Ｅｃが帯電用の電源回路Ｅｂの負電源回路１を利用して、転写ロールＲｔに転写電圧Ｖ60とは逆極性の清掃電圧Ｖ11が印加されており、清掃用の負電源回路を別個に設ける場合に比べ、電源回路Ｅ全体が小型化およびコスト低減されている。また、実施例１では、ジョブ実行時に負電源回路１からの電圧の印加を遮断するトランジスタ等のスイッチの構成が転写用の電源回路Ｅｃから省略され、各電源回路１，５１からの電圧が重畳されずに正電源回路５１のみで転写電圧Ｖ60が印加される場合に比べ、電源回路Ｅ全体がコスト低減されている。
【００９４】
図９は図８の等価回路を流れる各電流の閉回路の説明図であり、図９Ａは第６の閉回路の等価回路の説明図、図９Ｂは第７の閉回路の等価回路の説明図、図９Ｃは第８の閉回路の等価回路の説明図である。
図１０は図９の続きの説明図であり、図１０Ａは帯電用の回路の等価回路の説明図、図１０Ｂは清掃用の回路の等価回路の説明図、図１０Ｃは第１内部回路の等価回路、図１０Ｄは第４の閉回路の等価回路の説明図、図１０Ｅは第５の閉回路の説明図である。
図１１は図１０の続きの説明図であり、図１１Ａは転写用の回路の等価回路の説明図、図１１Ｂは第２内部回路の等価回路の説明図、図１１Ｃは第３内部回路の等価回路の説明図である。
【００９５】
また、前記プリンタＵでは、ジョブ実行時には、図８、図１０Ａに示すように、帯電ロールＣＲには負電源回路１から帯電用の電流Ｉ12が供給され、図８、図１１Ａに示すように、転写ロールＲｔには各電源回路１，５１を通じて転写用の電流Ｉ68が供給される。なお、クリーニング動作時には、図１０Ｂに示すように、転写ロールＲｔには負電源回路１から清掃用の電流Ｉ13が供給される。
ここで、キルヒホッフの法則から、図９、図１０に示すように、実施例１の帯電用の電源回路Ｅｂおよび転写用の電源回路Ｅｃでは、各電流Ｉ65〜Ｉ67，Ｉ12〜Ｉ17は、各閉回路１４１〜１４３，１３１〜１３６を流れるものと考えることができる。
具体的には、正電源回路５１からの各電流Ｉ65〜Ｉ67は、それぞれ、図９Ａ〜図９Ｃに示すように、各部材８１＋Ｒｔ＋ＰＲ＋４２〜２７，８２〜８８＋４２〜２７，８１＋９１〜９６＋４２〜２７を流れて正電源回路５１に戻ってくる。
【００９６】
また、負電源回路１からの各電流Ｉ12〜Ｉ17は、それぞれ、図１０Ａ〜図１０Ｅに示すように、ＰＲ＋ＣＲ＋３３〜２６，ＰＲ＋Ｒｔ＋８１＋７８＋２６，４２〜２６，８７＋８４＋８２＋７８＋２６，９６＋９３＋９１＋８１＋７８＋２６を流れて負電源回路１に戻ってくる。
なお、転写用の電流Ｉ68は、図１１Ａに示すように、負電源回路１、第７の抵抗２６、正電源回路５１、検知抵抗８１、転写ロールＲｔ、感光体ＰＲによって構成された転写用の回路１６１を流れる。したがって、図９Ａ、図１０Ｂ、図１１Ａに示すように、転写用の電流Ｉ68の電流値は、正電源回路５１から流れる電流Ｉ65の電流値と、負電源回路１から流れる電流Ｉ13の電流値との差分値となる。
【００９７】
また、第２内部電流Ｉ69は、図１１Ｂに示すように、負電源回路１、第７の抵抗２６、正電源回路５１、各抵抗８２，８４，８７を流れる。よって、図９Ｂ、図１０Ｄ、図１１Ｂに示すように、第２内部電流Ｉ69の電流値は、正電源回路５１から流れる電流Ｉ66の電流値と、負電源回路１から流れる電流Ｉ16の電流値との差分値となる。
また、第３内部電流Ｉ70は、図１１Ｃに示すように、負電源回路１、第７の抵抗２６、正電源回路５１、各抵抗９１，９３，９６を流れる。よって、図９Ｃ、図１０Ｅ、図１１Ｃに示すように、第３内部電流Ｉ70の電流値は、正電源回路５１から流れる電流Ｉ67の電流値と、負電源回路１から流れる電流Ｉ17の電流値との差分値となる。
【００９８】
この結果、実施例１では、正電源回路５１からの電流Ｉ65〜Ｉ67は、第１内部電流Ｉ14が流れる第１内部回路１３３の一部である各抵抗４２〜２７を流れており、帯電用の電流Ｉ12が流れる帯電用の回路１３１の一部でもある各抵抗３３〜２７を流れている。
よって、各電源回路Ｅｂ，Ｅｃが負電源回路１を共有化して各電源回路１，５１の重畳電圧を印加する場合、正電源回路５１から流れる電流Ｉ65〜Ｉ67の閉回路１４１〜１４３と負電源回路１から流れる電流Ｉ12〜Ｉ14の閉回路１３１〜１３３とは一部重複する。また、帯電ロールＣＲと転写ロールＲｔとは、感光体ＰＲに対向して配置されており、転写ロールＲｔは、図９Ａ〜図９Ｃの１点鎖線に示すように、感光体ＰＲを介して帯電ロールＣＲと間接的に接続されている。また、各抵抗８２〜８８，９１〜９６も転写ロールＲｔと同様に、アースされた感光体ＰＲを介して帯電ロールＣＲと間接的に接続されている。
よって、各電流Ｉ65〜Ｉ67は、各抵抗４２〜２７を流れるだけでなく、感光体ＰＲから帯電ロールＣＲおよび各抵抗３３〜２７にも流れる可能性がある。すなわち、図８、図９Ａ〜図９Ｃの１点鎖線に示すように、前記電流Ｉ65〜Ｉ67の一部の電流Ｉ65′〜Ｉ67′が感光体ＰＲから帯電ロールＣＲ側に流れる可能性がある。
【００９９】
ここで、特許文献１、２等の従来の構成のように、各電源回路Ｅｂ，Ｅｃが負電源回路１を共有化して各電源回路１，５１の重畳電圧を印加しただけでは、帯電ロールＣＲを流れる電流Ｉ12,Ｉ65′が、転写ロールＲｔを流れる電流Ｉ65，Ｉ13によって大きく変動する可能性があった。
例えば、シートＳが転写領域Ｑ４を通過して転写ロールＲｔ側の抵抗値が増加すると、負電源回路１からの電流Ｉ12〜Ｉ17の電流値の合計値が変化しない場合には、転写ロールＲｔを流れる清掃用の電流Ｉ13の電流値が減少し、帯電用の電流Ｉ12や各電流Ｉ14〜Ｉ17の電流値が増加する。よって、帯電用の電流Ｉ12の電流値が大きく増加した場合、帯電電圧Ｖ10の電圧値も大きく増加して帯電ムラ等の帯電不良が発生する可能性があり、帯電不良に基づく画像不良が発生する可能性があった。すなわち、転写ロールＲｔを流れる電流Ｉ65，Ｉ13の変動が、帯電ロールＣＲを流れる電流Ｉ12,Ｉ65′に悪影響を及ぼし、帯電電圧Ｖ10の電圧値が大きく変動して帯電不良や画像不良が発生する可能性があった。
【０１００】
これに対して、実施例１のプリンタＵでは、帯電用の電流Ｉ12が、電流Ｉ65に対して十分に大きくなるように設定されている。すなわち、前記式（２−１）に示すように、｜Ｉ12｜>>｜Ｉ65｜が成立し、｜Ｉ12｜>>｜Ｉ65｜＞｜Ｉ65′｜が成立するように設定されている。また、実施例１では、（３−１），（３−２）に示すように、｜Ｉ12｜>>｜Ｉ68｜＝｜Ｉ65｜−｜Ｉ13｜＞０が成立し、｜Ｉ65｜＞｜Ｉ13｜，｜Ｉ12｜>>｜Ｉ13｜も成立する。よって、帯電用の電流Ｉ12が転写ロールＲｔを流れる電流Ｉ65，Ｉ13に対して十分に大きくなるように設定されている。
この結果、ジョブ実行時に転写ロールＲｔに流れる各電流Ｉ65，Ｉ13の電流値が増減しても、帯電用の電流Ｉ12が各電流Ｉ65，Ｉ13の増減値に対して十分に大きく、帯電ロールＣＲを流れる電流の電流値の増減率が小さくなるように設定されている。
したがって、実施例１のプリンタＵは、帯電用の電流Ｉ12が転写ロールＲｔに流れる電流Ｉ65，Ｉ13より十分に大きくなるように設定されていない構成に比べ、各電流Ｉ65，Ｉ13の変動による帯電ロールＣＲを流れる電流に対する悪影響が低減される。よって、帯電電圧Ｖ10の電圧値の大きな変動が低減され、帯電不良や画像不良が低減される。
【０１０１】
また、実施例１では、シートＳが転写領域Ｑ４を通過して転写ロールＲｔ側の抵抗値が増加すると、正電源回路５１からの電流Ｉ64〜Ｉ67の電流値の合計値が変化しない場合には、転写ロールＲｔを流れる電流Ｉ65の電流値が減少し、他の各電流Ｉ64，Ｉ66，Ｉ67の電流値が増加する。よって、正電源回路５１からの各電流Ｉ64〜Ｉ67の変動が、帯電ロールＣＲを流れる電流Ｉ12, Ｉ65′〜Ｉ67′に悪影響を及ぼし、帯電電圧Ｖ10の電圧値が大きく変動して帯電不良や画像不良が発生する可能性があった。
【０１０２】
これに対して、実施例１のプリンタＵでは、帯電用の電流Ｉ12が各電流Ｉ65〜Ｉ67に対して十分に大きくなるように設定されており、｜Ｉ12｜>>｜Ｉ65｜＞｜Ｉ65′｜，｜Ｉ12｜>>｜Ｉ66｜＞｜Ｉ66′｜，｜Ｉ12｜>>｜Ｉ67｜＞｜Ｉ67′｜が成立するように設定されている。この結果、ジョブ実行時に正電源回路５１からの各電流Ｉ64〜Ｉ67の電流値が変動して、一部の電流Ｉ65′〜Ｉ67′の電流値の合計値が増減しても、帯電用の電流Ｉ12が電流Ｉ65′〜Ｉ67′の電流値の合計値の増減値に対して十分に大きく、帯電ロールＣＲを流れる電流の電流値の増減率が小さくなるように設定されている。
したがって、実施例１のプリンタＵは、帯電用の電流Ｉ12が正電源回路５１からの各電流Ｉ65〜Ｉ67より十分に大きくなるように設定されていない構成に比べ、各電流Ｉ65〜Ｉ67の変動による帯電ロールＣＲを流れる電流に対する悪影響が低減される。よって、帯電電圧Ｖ10の電圧値の大きな変動が低減され、帯電不良や画像不良が低減される。
【０１０３】
また、実施例１では、ジョブ実行時にシートＳが転写領域Ｑ４を通過して転写ロールＲｔ側の抵抗値が変化した場合、前記抵抗値に応じて転写用の電流Ｉ68の電流値が変化する。このとき、転写ロールＲｔ側の抵抗値は、プリンタＵの外部環境、例えば、室内の温湿度や、シートＳの種類や、大きさ、厚さ、含水率等によって大きく変化する可能性があり、転写用の電流Ｉ68の電流値は、抵抗値に応じて大きく変化する可能性がある。
よって、例えば、転写用の電流Ｉ68の電流値が小さ過ぎる場合、感光体ＰＲ表面のトナー像がシートＳ側に十分に移動せず、転写ムラ等の転写不良が発生する可能性があり、転写不良に基づく画像不良が発生する可能性がある。また、例えば、シートＳを介して転写ロールＲｔから感光体ＰＲ以外の各部材Ｒｒ，Ｆ側に流れる電流が大きい場合、転写用の電流Ｉ68の電流値が必要以上に大きくなり、無駄な電力消費が発生する問題がある。
【０１０４】
この結果、実施例１では、図６、図７に示すように、転写用の電流Ｉ68の電流値が測定されており、測定された転写用の電流Ｉ68の電流値が予め設定された最小値Ｉminから最大値Ｉmaxまでの範囲内となるように調整されている。
また、実施例１では、正電源回路５１と転写ロールＲｔとの間に直列に配置された検知抵抗８１の検知電圧Ｖ72を検知する検知回路１２１が設けられ、検知回路１２１の出力信号から各電源回路１，５１の重畳電圧である検知電圧Ｖ72が測定される。そして、測定された検知電圧Ｖ72の電圧値を検知抵抗８１の抵抗値で除算された検知電流Ｉ73の電流値が、前記電圧Ｖ65の電圧値を各抵抗９１〜９６の抵抗値の合計値で除算された第３内部電流Ｉ70の電流値で減算されて、転写用の電流Ｉ68の電流値が測定される。
【０１０５】
ここで、転写用の電流Ｉ68の電流値を測定する場合、例えば、特許文献１〜４において、従来公知の電流計を正電源回路５１と転写ロールＲｔとの間に直列で接続する構成が考えられる。しかしながら、電流計に電流値の大きな転写用の電流Ｉ68が流れると故障するという問題があった。
これに対して、実施例１では、検知回路１２１の各抵抗８２〜８７，９１〜９６の抵抗値が大きく設定され、内部電流Ｉ69，Ｉ70が転写用の電流Ｉ68に対して十分に小さくなっている。よって、実施例１のプリンタＵは、検知回路１２１に電流値の大きな電流Ｉ69，Ｉ70が流れることが低減され、検知回路１２１が故障し難くなっており、転写用の電流Ｉ68の電流値を安定して測定可能になっている。特に、実施例１では、検知抵抗８１の抵抗値が小さく設定され、出力信号に基づく電圧Ｖ70や電流Ｉ71も小さくしてコントローラＣも故障し難くなっている。
【０１０６】
また、従来公知の直流電流計を直列に配置した場合には、クリーニング動作時に転写用の電流Ｉ68とは逆方向の清掃用の電流Ｉ13が流れると測定できないだけでなく、故障の原因にもなるという問題があった。また、電流計の故障回避のために、例えば、直流電流計に替えて交流電流計を設けたり、クリーニング時に直流電流計に清掃用の電流Ｉ13が流れないように回路切替スイッチ等を設けたりした場合、転写用の電流Ｉ68を精度良く測定できなくなったり、電流測定の構成や制御が複雑化したりする問題があった。
これに対して、実施例１のプリンタＵは、クリーニング動作時に清掃用の電流Ｉ13が検知抵抗８１に流れても清掃用の電流Ｉ13が測定されるだけで検知回路１２１に悪影響はなく、ジョブ実行時に転写用の電流Ｉ68を精度良く測定することが可能である。
【０１０７】
すなわち、ジョブ実行時には、図１１Ａ〜図１１Ｃに示す各電流Ｉ68〜Ｉ70が第２の電源回路５１側から流れるのに対して、クリーニング動作時には、図１０Ｂ、図１０Ｄ、図１０Ｅに示す各電流Ｉ13，Ｉ16，Ｉ17が第１の電源回路１側から流れる。よって、クリーニング動作時に検知回路１２１の各抵抗８２＋８４＋８７，９１＋９３＋９６に流れる各電流Ｉ16，Ｉ17の向きがジョブ実行時の反対方向に流れるだけで、検知回路１２１が故障する等の悪影響はない。また、クリーニング動作時の検知電流Ｉ73の電流値は、ジョブ実行時と同様に、清掃用の電流Ｉ13の電流値と電流Ｉ17の電流値との合計値となり、測定された検知電流Ｉ73から電流Ｉ17を減算して転写ロールＲｔに流れる清掃用の電流Ｉ13を測定することが可能である。さらに、検知回路１２１は、検知抵抗８１の第２の電源回路５１側の電圧Ｖ61と転写ロールＲｔ側の電圧Ｖ65との電位差に応じた前記電圧Ｖ70を出力しており、前記電圧Ｖ70の極性および絶対値に基づいて、検知電流Ｉ73が流れる方向や絶対値を精度良く測定可能である。
【０１０８】
この結果、実施例１のプリンタＵは、クリーニング動作時もジョブ実行時と同様に、検知回路１２１が故障する等の悪影響を低減しつつ、清掃用の電流Ｉ13の電流値を精度良く測定することが可能である。
なお、実施例１では、クリーニング動作時にはシートＳが搬送されず、清掃用の電流Ｉ13を測定して電流値を調整する必要性は低いが、転写用の電流Ｉ68と同様に、清掃用の電流Ｉ13を測定して電流値を調整することも可能である。
【実施例２】
【０１０９】
次に本発明の実施例２の説明をするが、この実施例２の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
【０１１０】
（実施例２の電源回路Ｅの説明）
図１２は実施例１の図４に対応する説明図であって実施例２の電源回路の要部説明図である。
図１２において、実施例２の電源回路Ｅでは、実施例１の検知抵抗８１が省略されており、第６のダイオード７３のカソード７３ｂは、転写ロールＲｔに接続されていると共に、第２８の抵抗７８の一端は、転写ロールＲｔに直列に接続されている。
また、実施例２では、実施例１の検知抵抗８１の正電源回路５１側の電圧Ｖ61を検知するための各部材８２〜８９が省略されている。また、実施例１の検知抵抗８１の転写ロールＲｔ側の電圧Ｖ66を正電源回路５１側の電圧Ｖ62で減算する差動増幅回路１０１〜１０６も省略されている。さらに、実施例１の差動増幅回路１０１〜１０６の出力する電圧Ｖ69＝Ｖ66−Ｖ62に基づく出力信号をコントローラＣに出力するための各部材１０７〜１１１も省略されている。
【０１１１】
すなわち、実施例２では、実施例１と同様に正電源回路５１の定電圧制御をするために、実施例１の検知回路１２１が、検知抵抗８１の転写ロールＲｔ側の電圧Ｖ65を検知するための各部材９１〜９９を残して省略されている。
この結果、実施例２では、実施例１の各閉回路１４２，１６２が省略されており、実施例１の電流Ｉ66や第２内部電流Ｉ69が流れないようになっている。
【０１１２】
（実施例２の負電源回路１の電流と正電源回路５１の電流との関係についての説明）
また、実施例２では、実施例１と同様に、第１のトランス２１の２次側の２次電流Ｉ11の電流値が、第２のトランス７１の２次側の２次電流Ｉ63の電流値より十分に大きくなるように予め設定されている。すなわち、実施例２では、前記式（１−１）に示す｜Ｉ11｜>>｜Ｉ63｜に基づいて、以下の式（１−２）′，（１−３）′が成立する。
｜Ｉ12＋Ｉ13＋Ｉ14＋Ｉ17｜>>｜Ｉ64＋Ｉ65＋Ｉ67｜    …式（１−２）′
｜（Ｖa／Ｒa1）＋（Ｖa／Ｒa2）＋（Ｖa／Ｒa3）＋（Ｖa／Ｒa6）｜
>>｜（Ｖb／Ｒb1）＋（Ｖb／Ｒb2）＋（Ｖb／Ｒb4）｜    …式（１−３）′
また、実施例２では、実施例１と同様に、帯電用の電流Ｉ12の電流値が、転写用の電流Ｉ68や各電流Ｉ65，Ｉ67の電流値より十分に大きくなるように予め設定されている。すなわち、前記式（２−１），（２−３），（３−１），（３−２）に示すように、｜Ｉ12｜>>｜Ｉ65｜，｜Ｉ12｜>>｜Ｉ67｜，｜Ｉ12｜>>｜Ｉ68｜＝｜Ｉ65｜−｜Ｉ13｜＞０が成立するように予め設定されている。
【０１１３】
（実施例２の制御部の説明）
図１３は実施例１の図５に対応する説明図であって実施例２のプリンタの制御部分が備えている各機能を機能ブロック図で示した図である。
また、図１３において、実施例２では、コントローラＣに接続された信号入力要素から、実施例１の前記検知回路１２１が省略されている。また、実施例２では、コントローラＣの機能から、実施例１の前記出力信号の受信手段Ｃ５、前記検知電圧の検知手段Ｃ６、前記検知電流の測定手段Ｃ７、前記第３内部電流の測定手段Ｃ８、前記転写用の電流の測定手段Ｃ９、前記転写用の電流の調整手段Ｃ１０が省略されている。
なお、実施例２のコントローラＣに接続された信号入力要素ＵＩや、コントローラＣに接続された被制御要素ＤＬ，Ｄ１，Ｅ、コントローラＣの機能であるジョブ制御手段Ｃ１、メインモータ制御手段Ｃ２、電源制御手段Ｃ３、潜像形成の制御手段Ｃ４については、実施例１の説明と同様となるため、詳細な説明については省略する。
また、実施例２では、図６、図７に示す、実施例１の前記転写用の電流調整処理および前記転写用の電流測定処理が省略されているため、フローチャートの図示および詳細な説明についても省略する。
【０１１４】
（実施例２の作用）
図１４は実施例１の図９に対応する説明図であって実施例２の閉回路の説明図であり、図１４Ａは第６の閉回路の等価回路の説明図、図１４Ｂは第８の閉回路の等価回路の説明図、図１４Ｃは帯電用の回路の等価回路の説明図、図１４Ｄは清掃用の回路の等価回路の説明図、図１４Ｅは第１内部回路の等価回路の説明図、図１４Ｆは第５の閉回路の等価回路の説明図である。
前記構成を備えた実施例２のプリンタＵでは、実施例１と同様に、キルヒホッフの法則から、各電流Ｉ65，Ｉ67，Ｉ12〜Ｉ14，Ｉ17が、検知抵抗８１が省略された図１４Ａ〜図１４Ｅに示す各閉回路１４１，１４３，１３１〜１３３，１３６をそれぞれ流れる。
【０１１５】
また、実施例２では、実施例１と同様に、帯電用の電流Ｉ12が転写ロールＲｔを流れる電流Ｉ65，Ｉ13に対して十分に大きく設定されている。この結果、各電流Ｉ65，Ｉ13の電流値が増減しても、帯電用の電流Ｉ12が各電流Ｉ65，Ｉ13の増減値に対して十分に大きく、帯電ロールＣＲを流れる電流の電流値の増減率が小さくなる。
よって、実施例２のプリンタＵは、実施例１と同様に、各電流Ｉ65，Ｉ13の変動による帯電ロールＣＲを流れる電流に対する悪影響が低減され、帯電不良等が低減される。
【０１１６】
また、実施例２では、実施例１と同様に前記式（１−１）が成立し、帯電用の電流Ｉ12が各電流Ｉ65，Ｉ67に対して十分に大きく設定されている。この結果、正電源回路５１からの各電流Ｉ64，Ｉ65，Ｉ67の電流値が変動して、一部の電流Ｉ65′，Ｉ67′の電流値の合計値が増減しても、帯電用の電流Ｉ12が電流Ｉ65′，Ｉ67′の電流値の合計値の増減値に対して十分に大きく、帯電ロールＣＲを流れる電流の電流値の増減率が小さくなる。
よって、実施例２のプリンタＵは、実施例１と同様に、各電流Ｉ65，Ｉ67の変動による帯電ロールＣＲを流れる電流に対する悪影響が低減され、帯電不良等が低減される。
【０１１７】
ここで、例えば、湿度が低い外部環境で抵抗値が高いＯＨＰシートや厚紙に印刷しても転写ロールＲｔに流れる電流が小さくなり過ぎないように転写用の電流Ｉ68が十分大きく設定されている場合には、転写不良が発生し難い。よって、転写不良が発生し難いように転写用の電流Ｉ68が設定された場合、実施例２のプリンタＵのように、転写用の電流Ｉ68を測定して調整する構成を省略することも可能である。
この結果、実施例２のプリンタＵは、転写不良の発生を低減しつつ、プリンタＵの検知抵抗８１を含む回路を簡素化して費用を低減すると共に、転写用の電流Ｉ68の測定や調整に必要なコントローラＣの負荷を低減することが可能となっている。
【０１１８】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ010）を下記に例示する。
（Ｈ01）前記実施例において、画像形成装置の一例としてプリンタＵを例示したが、これに限定されず、複写機、ＦＡＸ、あるいはこれら複数の機能を備えた複合機等に適用可能である。また、単色、いわゆる、モノクロの画像形成装置に限定されず、多色、いわゆるカラーの画像形成装置により構成することも可能である。
（Ｈ02）前記実施例において、例示した具体的な数値や材料名等は、設計や仕様等に応じて、適宜変更可能である。
【０１１９】
（Ｈ03）前記実施例では、モノクロ画像形成装置において、感光体ＰＲに対向する転写ロールＲｔに対して、ジョブ実行時に各電源回路１，５１からの電圧を重畳した転写電圧Ｖ60を印加し且つクリーニング動作時に負電源回路１からの清掃電圧Ｖ11を印加しているが、重畳電圧が印加される部材はこれに限定されず、例えば、タンデム式のカラー画像形成装置において、中間転写ベルトに対向する２次転写ロールに対して、ジョブ実行時に各電源回路１，５１からの電圧を重畳した２次転写電圧を印加し且つクリーニング動作時に負電源回路１からの清掃電圧を印加することも可能である。また、例えば、感光体ＰＲ表面上の残留トナーを除去する感光体クリーナのクリーニングブラシ等に対して、残留トナーを吸着して除去する際に各電源回路１，５１からの電圧を重畳した吸着電圧を印加し且つ吸着したトナーを吐き出してクリーニングブラシ等の清掃する際に負電源回路１からの吐出電圧を印加することも可能である。また、各電源回路１，５１からの重畳電圧が印加される部材は１個の部材に限定されず、２個以上の部材とすることも可能であり、例えば、ジョブ実行時に各電源回路１，５１からの重畳電圧を転写ロールＲｔおよびクリーニングブラシに印加することも可能である。
【０１２０】
（Ｈ04）前記実施例において、各電源回路１，５１の重畳電圧が印加されずに負電源回路１のみの電圧Ｖ10が印加される部材を帯電ロールＣＲとしたが、これに限定されず、負電源回路１の電圧が印加可能な部材ならば任意の部材に変更可能であり、例えば、現像ロールＧａに負電源回路１の電圧を印加することも可能である。また、負電源回路１の電圧Ｖ10が印加される部材は１個の部材に限定されず、２個以上の部材とすることも可能であり、例えば、ジョブ実行時に負電源回路１の電圧を帯電ロールＣＲおよび現像ロールＧａに印加することも可能である。
（Ｈ05）前記実施例では、マイナス帯電極性のトナーを使用し、ジョブ実行時に帯電ロールＣＲにマイナスの帯電電圧Ｖ10を印加し且つ転写ロールＲｔにプラスの転写電圧Ｖ60を印加すると共に、クリーニング動作時に転写ロールＲｔにマイナスの清掃電圧Ｖ11を印加したが、これに限定されず、プラス帯電極性のトナーを使用し、ジョブ実行時に帯電ロールＣＲにプラスの帯電電圧Ｖ10を印加し且つ転写ロールＲｔにマイナスの転写電圧Ｖ60を印加すると共に、クリーニング動作時に転写ロールＲｔにプラスの清掃電圧Ｖ11を印加することも可能である。すなわち、負電源回路１と正電源回路とを逆転した構成も可能である。
【０１２１】
（Ｈ06）前記実施例では、ジョブ実行時に、転写ロールＲｔに対して各電源回路１，５１から重畳電圧としてプラスの転写電圧Ｖ60を印加し、帯電ロールＣＲに対して負電源回路１から重畳電圧とは逆極性となるマイナスの帯電電圧Ｖ10を印加したが、これに限定されず、２つの部材に対して異なる電圧が印加される場合に適用可能であり、同極性の異なる電圧が印加される２つの部材に適用することも可能である。例えば、各電源回路を両方ともに正電源回路とし、１次転写ロールに対して第１の正電源回路からプラスの１次転写電圧を印加し、２次転写ロールに対して第１の正電源回路および第２の正電源回路から重畳電圧として１次転写電圧よりも高電圧の２次転写電圧を印加することも可能である。この場合、クリーニング動作時にマイナスの清掃電圧を印加する場合、負電源回路が別途必要となる。また、例えば、各電源回路を両方ともに負電源回路とし、現像ロールＧａに対して第１の負電源回路からマイナスの現像電圧を印加し、帯電ロールＣＲに対して第１の負電源回路および第２の負電源回路から重畳電圧として現像電圧よりもマイナスの絶対値が大きい帯電電圧を印加することも可能である。
【０１２２】
（Ｈ07）前記実施例のように、ジョブ実行時に転写ロールＲｔ側の抵抗値の大きな変動に応じて転写用の電流Ｉ68の電流値を調整する場合、正電源回路５１の入力信号のみを制御して帯電電圧Ｖ10を変動させずに転写電圧Ｖ60を変動させることが好ましいが、これに限定されず、負電源回路１の入力信号も制御して転写電圧Ｖ60を変動させることも可能である。
（Ｈ08）前記実施例１では、転写用の電流Ｉ68が測定された場合に、測定された転写用の電流Ｉ68に基づいて、正電源回路５１を制御して、転写用の電流Ｉ68の電流値を調整したが、これに限定されず、例えば、転写用の電流Ｉ68が測定された場合に、測定された転写用の電流Ｉ68に基づいて、正電源回路５１を制御して、転写電圧Ｖ60の電圧値を調整することも可能である。
【０１２３】
（Ｈ09）前記実施例のように、前記式（３−１），（３−２）に示すように、｜Ｉ12｜>>｜Ｉ68｜＝｜Ｉ65｜−｜Ｉ13｜が成立し、帯電ロールＣＲに流れる帯電用の電流Ｉ12が、転写ロールＲｔに流れる転写用の電流Ｉ68より十分に大きくなるように設定されることが好ましいが、帯電用の電流Ｉ12が転写用の電流Ｉ68より大きければ、十分に大きくなくとも本発明の作用効果を奏することが可能である。すなわち、帯電用の電流Ｉ12が転写用の電流Ｉ68の１００倍もなくても、例えば、３倍や４倍程度でも帯電電圧Ｖ10の変動を低減して帯電ロールＣＲ側への悪影響を低減することが可能である。
（Ｈ010）前記実施例１において、検知抵抗１２１の出力信号に基づいて転写用の電流Ｉ68を直接測定して電流値を調整することが好ましいが、転写用の電流Ｉ68以外の測定値に応じて間接的に転写用の電流Ｉ68の電流値を調整することも可能である。例えば、検知電圧Ｖ72の電圧値や検知電流Ｉ71の電流値のような転写用の電流Ｉ68の変動に応じて変動する値に基づいて転写用の電流Ｉ68の電流値を調整することも可能である。この場合、検知電流Ｉ73の電流値を第３内部電流Ｉ70の電流値で減算して転写用の電流Ｉ68を測定する処理を省略しつつ、転写用の電流Ｉ68を調整することができる。
【符号の説明】
【０１２４】
１…第１の電源、７…第１の電圧の調整手段、５１…第２の電源、５６…第２の電圧の調整手段、８１…検知抵抗、８２〜８９…電源側の電圧検知部、１０１〜１０６…電位差の出力回路、１０２ａ…一方の入力部、１０２ｂ…出力部、１０２ｃ…他方の入力部、１５２…第１の電圧検知部、１５１…重畳電圧の検知部、１２１＋Ｃ５＋Ｃ６…検知電圧の測定手段、Ｃ７…検知電流の測定手段、Ｃ８…第４の電流の測定手段、Ｃ９…第２の電流の測定手段、Ｃ１０…第２の電源出力調整手段、ＣＲ…帯電部材、第１の部材、Ｅ…電源回路、Ｇ…現像装置、Ｇａ…現像部材、第１の部材、Ｉ12…第１の電流、Ｉ14…第３の電流、Ｉ67…第４の電流、Ｉ68…第２の電流、Ｉ71…検知電流、ＰＲ…像保持体、ＲＯＳ…潜像形成装置、Ｒｔ…最終転写部材、第２の部材、Ｕ…画像形成装置、Ｖ10…第１の電圧、Ｖ60，Ｖ65…重畳電圧、Ｖ61…電源側の電圧。
【図１】
2013195820.tif 000003
【図２】
2013195820.tif 000004
【図３】
2013195820.tif 000005
【図４】
2013195820.tif 000006
【図５】
2013195820.tif 000007
【図６】
2013195820.tif 000008
【図７】
2013195820.tif 000009
【図８】
2013195820.tif 000010
【図９】
2013195820.tif 000011
【図１０】
2013195820.tif 000012
【図１１】
2013195820.tif 000013
【図１２】
2013195820.tif 000014
【図１３】
2013195820.tif 000015
【図１４】
2013195820.tif 000016